【事件の表示】
　特願２００９−５０１８８９「個人用セキュアカードの作成方法及びその動作過程」拒絶査定不服審判事件〔平成１９年１０月　４日国際公開，ＷＯ２００７／１１０１４２，平成２１年　９月　３日国内公表，特表２００９−５３１７５２〕について，次のとおり審決する。
【結　論】
　本件審判の請求は，成り立たない。
【理　由】
第１　手続の経緯
　本願は，２００７年３月９日（パリ条約による優先権主張外国庁受理２００６年３月２７日，２００７年３月１日,イタリア）を国際出願日とする出願であって，平成２４年２月１４日付けで拒絶理由が通知され，同年６月１８日に手続補正がされ，同年９月１８日付けで拒絶査定がされ，これに対して，平成２５年１月２３日に審判請求がされるとともに手続補正がされ，その後，同年５月１６日付けで審尋がされ，同年８月７日に回答書が提出されたものである。
　
第２　補正の却下の決定
［補正却下の決定の結論］
　平成２５年１月２３日になされた手続補正（以下「本件補正」という。）を却下する。
　
［理由］
１　本件補正の内容
　本件補正は，特許請求の範囲を補正するものであって，補正前の特許請求の範囲の請求項１〜１３及び補正後の特許請求の範囲の請求項１〜１２は以下のとおりである。
　
〈補正前〉
「【請求項１】
　カードの厚さ内にすべて組み込まれた，少なくともユーザの生体情報のデータメモリとユーザの生体情報のレセプター（２）を備えた回路及びＣＰＵプロセッサーを含有する電気接触部を備えたカード形の，電子カード，又はインテリジェントカード，又はスマートカード，又はマイクロチップカード，又はマイクロプロセッサーカードとしての個人用セキュアカードの動作方法であって，
前記カードに記憶された生体情報は，正規の動作を可能にするために使用時に入手した生体情報と比較するために用いられ，前記カードは２つのプロセッサーが与えられる個人用セキュアカードの動作方法において，
ｉ）前記２つのプロセッサーは，
前記電気接触部（１）の下方の一側にある前記カードの管理のための第１のマイクロプロセッサーと，
前記電気接触部（１）の正反対の側にある，前記生体情報の解析のための第２のマイクロプロセッサーと，
から構成され，前記２つのマイクロプロセッサーは，何れも可撓性材料より成るバス（３）によって接続され，
ｉｉ）前記生体情報のレセプター（２）は，センサー手段（２２）と連関したデジタル式指紋精巧化手段（２１）と，メモリプロセッサー（２３）とを備えるデジタル式指紋スキャナー（２）たる指紋走査型検出器のセンサーであり，同じ前記カードの同じ側に含まれたスキャナーの長方形窓上の指によって，横方向に走査動作が実行されることによって指紋を採取することができ，その反対の位置で前記ＣＰＵプロセッサー（ＣＰＵ）の側部に前記電気接触部が取り付けられ，
ｉｉｉ）以下の各ステップ，
ａ）最初の使用時における１回限りの個人カードの有効化の際，
認定ユーザの前記生体情報の本人絶対識別用の情報作成を，前記生体情報が，前記カードの外部からその情報を読み取り，又は検知し，又は感知することを絶対に不可能にするように前記カードの内部へのみ保存された前記生体情報のメモリに記憶されるように実行し，および，ユーザの個人情報とそのアクセスコードの作成，及びその保存もまた実行するステップと，
ｂ）それに続く再使用に際し，
使用の際に，前記電気接触部（１）の側部に前記カードの挿入後，横方向指紋スキャナーとして機能する前記生体情報のレセプター（２）により，前記カードの内部に前記生体情報を入手できるように，ユーザのそれぞれの指の横断動作を実行すると，
前記生体情報は，その時の再読み取り情報が，以前記憶した生体情報と正確に一致するかどうかを照合確認するために，実際のユーザのその時の生体識別情報の再読み取り情報と，前記カードの内部でのみ比較され，前記以前記憶した生体情報と比較して，スマートカードの内部でのみ，前記照合確認が実行され，次に，前記個人情報及びアクセスコードの照合と本人識別が，正規の動作の操作を継続するために認可されるステップと，
が，動作に必要であることを特徴とする個人用セキュアカードの動作方法。
　【請求項２】
　カードの厚さ内にすべて組み込まれた，少なくともユーザの生体情報のデータメモリとユーザの生体情報のレセプター（２）を備えた回路及びＣＰＵプロセッサーを含有する電気接触部を備えたカード形の，２つのプロセッサーが与えられた個人用カードであって，前記カードに記憶された生体情報は，使用時に入手した生体情報と比較するために用いられる個人用カードにおいて，
　前記カード内にある可撓性を有するバス（３）によって，前記ＣＰＵプロセッサー（ＣＰＵ）と接続された，ユーザの前記生体情報のレセプター（２）を実現する前記プロセッサーのうちの一方を備えた，少なくとも１つの横方向に走査する指紋読み取り装置を備え，
　前記指紋読み取り装置は，アクセスを可能にする前に，その真正性を確認するために，又は，それぞれの外部サーバーとの電気接触部（１）による接続によって，サービス要求をユーザ本人のものであると確認するために，前記ＣＰＵプロセッサーとは反対側にあるメモリプロセッサー（２３）に組み込まれた，ユーザの指紋を読み取るための生体識別センサーを備え，
　ユーザの前記生体情報のレセプターは，センサー手段（２２）と連関したデジタル式指紋精巧化手段（２１）と，メモリプロセッサー（２３）とを備えるデジタル式指紋スキャナー（２）であり，
　前記個人用カードは，認定ユーザのそれぞれの個人生体情報が記憶される外部から読み取り不可能なメモリをさらに備える，
ことを特徴とする請求項１に記載の動作方法と動作に必要なステップ過程を作動させるための個人用カード。
　【請求項３】
　前記電気接触部（１）は，データバス，ＶＣＣ，ＣＬＫを通じて，前記ＣＰＵプロセッサーと接続することを特徴とする請求項２に記載の個人用カード。
　【請求項４】
　前記内部バスは，ＲＡＭ，ＲＯＭ，ＥＰＲＯＭのメモリ接続を備えることを特徴とする請求項２に記載の個人用カード。
　【請求項５】
　前記カードは，層状化されずに，熱溶融成形によって完全に埋め込まれた前記装置を備えることを特徴とする請求項２乃至４のいずれか１項に記載の個人用カード。
　【請求項６】
　前記ＣＰＵマイクロプロセッサーは，エポキシ樹脂の溶融膜で予め覆われ，前記電気接触部（１）より下方にあることを特徴とする請求項２乃至５のいずれか１項に記載の個人用カード。
　【請求項７】
　前記メモリは，エポキシ樹脂の溶融膜で予め覆われることを特徴とする請求項２乃至６のいずれか１項に記載の個人用カード。
　【請求項８】
　前記個人用カードは，磁気メモリのストリップを有することを特徴とする請求項２乃至７のいずれか１項に記載の個人用カード。
　【請求項９】
　前記個人用カードは，少なくとも１つのＲＦＩＤのトランスポンダを備えることを特徴とする請求項２乃至８のいずれか１項に記載の個人用カード。
　【請求項１０】
　前記接触部（１）は，入力供給部，クロックシリアル通信装置，又は半二重シリアル通信装置を有することを特徴とする請求項２乃至９のいずれか１項に記載の個人用カード。
　【請求項１１】
　前記生体情報のレセプター（２）は，それぞれのＤＮＡ識別情報を分析及び分類するための手段をさらに備えることを特徴とする請求項１乃至１０のいずれか１項に記載の個人用セキュアカードの作成方法。
　【請求項１２】
　前記生体情報のレセプター（２）は，さらに動作を可能にする前に両方の本人識別確認のため，前記ＤＮＡ識別情報と，それぞれの指紋情報とを一緒に，比較することが可能なマイクロプロセッサー手段を備えることを特徴とする請求項１乃至１１記載の個人用セキュアカードの作成方法。
　【請求項１３】
　自律的動作のため内部電池を与えられることを特徴とする請求項１，１１，１２のいずれか１項に記載の動作方法と動作に必要なステップ過程を作動させるための個人用カード。」
　
〈補正後〉
「【請求項１】
　少なくとも認定ユーザの個人生体情報が記憶される生体情報のデータメモリとユーザの生体情報のレセプター（２）を備えた回路を含有する電気接触部を備えたカード形の，２つのプロセッサーが与えられた個人用カードであって，
　前記２つのプロセッサーは，
　前記電気接触部（１）の下方の一側にある前記カードの管理のための第１のマイクロプロセッサーと，
　前記電気接触部（１）の正反対の側（２３）にある，前記生体情報の解析のための第２のマイクロプロセッサーと，から構成され，前記第１のマイクロプロセッサーと前記第２のマイクロプロセッサーは，何れも可撓性材料より成るバス（３）によって直接接続され，
　前記カードは，ユーザの前記生体情報のレセプター（２）を実現する前記第２のプロセッサー及び前記生体情報のメモリを備えた，少なくとも１つの横方向に走査する指紋読み取り装置を備え，前記ユーザの生体情報のレセプター（２）は，前記横方向に走査する指紋読み取り装置を構成するセンサー手段（２２）と連関した前記第２のマイクロプロセッサー及び前記生体情報のメモリから構成されるデジタル式指紋精巧化手段（２１）を備えるデジタル式指紋スキャナー（２）であり，
　前記横方向に走査する指紋読み取り装置は，指紋走査型検出器のセンサーであり，同じ前記カードの同じ側で第１のマイクロプロセッサーの側の電気接触部と反対側の位置に封入されたスキャナーの長方形窓上の指によって，横方向に走査動作が実行されることによって指紋を採取することができ，
　前記生体情報のメモリは前記カードの外部から読み取り不可能であり，認定ユーザのそれぞれの個人生体情報を記憶し，前記生体情報のメモリは新しい生体識別情報を作成すること又は作成し直すことは不可能であり，前記生体識別情報は前記生体情報のメモリの最初の登録後は更新することができず，
　前記第１のマイクロプロセッサー，前記電気接触部，前記第２のマイクロプロセッサーを備えるデジタル式指紋スキャナーから構成される前記ユーザの生体情報のレセプター，及び前記生体情報のメモリは可撓性材料より成る前記バスと共にカードの厚さ内にすべて組み込まれ，
　前記カードに記憶された生体情報は，前記生体情報のレセプターを用いて受信された生体情報と比較するために用いられ，カードの管理のための前記第１のマイクロプロセッサーの前記操作を可能にするカードの機能へのアクセスを可能にする前に，その真正性を確認するために，又は，それぞれの外部サーバーとの電気接触部（１）による接続によって，サービス要求をユーザ本人のものであると確認するために，前記比較は前記第２のマイクロプロセッサーを組み込む前記デジタル式指紋スキャナーによって発生し，
ａ）最初の使用時における１回限りの個人カードの有効化の際，認定ユーザの前記生体情報の本人絶対識別用の情報作成を，前記生体情報が，前記カードの外部からその情報を読み取り，又は検知し，又は感知することを絶対に不可能にするように前記カードの内部へのみ保存された前記生体情報のメモリに記憶されるように実行し，
および，ユーザの個人情報とそのアクセスコードの作成，及びその保存もまた実行するステップと，
ｂ）それに続く再使用に際し，使用の際に，前記電気接触部（１）の側部に前記カードの挿入後，横方向指紋スキャナーとして機能する前記生体情報のレセプター（２）により，前記カードの内部に前記生体情報を入手できるように，ユーザのそれぞれの指の横断動作を実行すると，
前記生体情報は，その時の再読み取り情報が，以前記憶した生体情報と正確に一致するかどうかを照合確認するために，実際のユーザのその時の生体識別情報の再読み取り情報と，前記カードの内部でのみ比較され，前記以前記憶した生体情報と比較して，スマートカードの内部でのみ，前記照合確認が実行され，次に，
前記個人情報及びアクセスコードの照合と本人識別が，正規の動作の操作を継続するために認可されるステップと，
が，動作に必要であることを特徴とする個人用カード。
　【請求項２】
　前記電気接触部（１）は，データバス，ＶＣＣ，ＣＬＫを通じて，前記ＣＰＵプロセッサーと接続することを特徴とする請求項１に記載の個人用カード。
　【請求項３】
　前記内部バスは，ＲＡＭ，ＲＯＭ，ＥＰＲＯＭのメモリ接続を備えることを特徴とする請求項１に記載の個人用カード。
　【請求項４】
　前記カードは，層状化されずに，熱溶融成形によって完全に埋め込まれた前記装置を備えることを特徴とする請求項１乃至３のいずれか１項に記載の個人用カード。
　【請求項５】
　前記ＣＰＵマイクロプロセッサーは，エポキシ樹脂の溶融膜で予め覆われ，前記電気接触部（１）より下方にあることを特徴とする請求項１乃至４のいずれか１項に記載の個人用カード。
　【請求項６】
　前記メモリは，エポキシ樹脂の溶融膜で予め覆われることを特徴とする請求項１乃至５のいずれか１項に記載の個人用カード。
　【請求項７】
　前記個人用カードは，磁気メモリのストリップを有することを特徴とする請求項１乃至６のいずれか１項に記載の個人用カード。
　【請求項８】
　前記個人用カードは，少なくとも１つのＲＦＩＤのトランスポンダを備えることを特徴とする請求項１乃至７のいずれか１項に記載の個人用カード。
　【請求項９】
　前記接触部（１）は，入力供給部，クロックシリアル通信装置，又は半二重シリアル通信装置を有することを特徴とする請求項１乃至８のいずれか１項に記載の個人用カード。
　【請求項１０】
　前記生体情報のレセプター（２）は，それぞれのＤＮＡ識別情報を分析及び分類するための手段をさらに備えることを特徴とする請求項１乃至９のいずれか１項に記載の個人用セキュアカードの作成方法。
　【請求項１１】
　前記生体情報のレセプター（２）は，さらに動作を可能にする前に両方の本人識別確認のため，前記ＤＮＡ識別情報と，それぞれの指紋情報とを一緒に，比較することが可能なマイクロプロセッサー手段を備えることを特徴とする請求項１乃至１０のいずれか１項に記載の個人用セキュアカードの作成方法。
　【請求項１２】
　自律的動作のため内部電池を与えられることを特徴とする請求項１０，１１のいずれか１項に記載の動作方法と動作に必要なステップ過程を作動させるための個人用カード。」
　
２　補正事項の整理
　本件補正前の請求項１及び２についての本件補正の内容を整理すると以下のとおりとなる。
　
〈補正事項１〉
　補正前の請求項１を削除すること。
　
〈補正事項２〉
　補正前の請求項１を引用する形式で記載されていた補正前の請求項２について，独立形式に書き直して補正後の請求項１とするとともに，補正前の請求項２の「ことを特徴とする請求項１に記載の動作方法と動作に必要なステップ過程を作動させるための個人用カード。」を，補正後の請求項１の「ことを特徴とする個人用カード。」とすること。
　
〈補正事項３〉
　補正前の請求項２の，
「カードの厚さ内にすべて組み込まれた，少なくともユーザの生体情報のデータメモリとユーザの生体情報のレセプター（２）を備えた回路及びＣＰＵプロセッサーを含有する電気接触部を備えたカード形の，２つのプロセッサーが与えられた個人用カードであって，前記カードに記憶された生体情報は，使用時に入手した生体情報と比較するために用いられる個人用カードにおいて，
　前記カード内にある可撓性を有するバス（３）によって，前記ＣＰＵプロセッサー（ＣＰＵ）と接続された，ユーザの前記生体情報のレセプター（２）を実現する前記プロセッサーのうちの一方を備えた，少なくとも１つの横方向に走査する指紋読み取り装置を備え，
　前記指紋読み取り装置は，アクセスを可能にする前に，その真正性を確認するために，又は，それぞれの外部サーバーとの電気接触部（１）による接続によって，サービス要求をユーザ本人のものであると確認するために，前記ＣＰＵプロセッサーとは反対側にあるメモリプロセッサー（２３）に組み込まれた，ユーザの指紋を読み取るための生体識別センサーを備え，
　ユーザの前記生体情報のレセプターは，センサー手段（２２）と連関したデジタル式指紋精巧化手段（２１）と，メモリプロセッサー（２３）とを備えるデジタル式指紋スキャナー（２）であり，
　前記個人用カードは，認定ユーザのそれぞれの個人生体情報が記憶される外部から読み取り不可能なメモリをさらに備える，」
を
補正後の請求項１の，
「少なくとも認定ユーザの個人生体情報が記憶される生体情報のデータメモリとユーザの生体情報のレセプター（２）を備えた回路を含有する電気接触部を備えたカード形の，２つのプロセッサーが与えられた個人用カードであって，
　前記２つのプロセッサーは，
　前記電気接触部（１）の下方の一側にある前記カードの管理のための第１のマイクロプロセッサーと，
　前記電気接触部（１）の正反対の側（２３）にある，前記生体情報の解析のための第２のマイクロプロセッサーと，から構成され，前記第１のマイクロプロセッサーと前記第２のマイクロプロセッサーは，何れも可撓性材料より成るバス（３）によって直接接続され，
　前記カードは，ユーザの前記生体情報のレセプター（２）を実現する前記第２のプロセッサー及び前記生体情報のメモリを備えた，少なくとも１つの横方向に走査する指紋読み取り装置を備え，前記ユーザの生体情報のレセプター（２）は，前記横方向に走査する指紋読み取り装置を構成するセンサー手段（２２）と連関した前記第２のマイクロプロセッサー及び前記生体情報のメモリから構成されるデジタル式指紋精巧化手段（２１）を備えるデジタル式指紋スキャナー（２）であり，
　前記横方向に走査する指紋読み取り装置は，指紋走査型検出器のセンサーであり，同じ前記カードの同じ側で第１のマイクロプロセッサーの側の電気接触部と反対側の位置に封入されたスキャナーの長方形窓上の指によって，横方向に走査動作が実行されることによって指紋を採取することができ，」
「前記第１のマイクロプロセッサー，前記電気接触部，前記第２のマイクロプロセッサーを備えるデジタル式指紋スキャナーから構成される前記ユーザの生体情報のレセプター，及び前記生体情報のメモリは可撓性材料より成る前記バスと共にカードの厚さ内にすべて組み込まれ，
　前記カードに記憶された生体情報は，前記生体情報のレセプターを用いて受信された生体情報と比較するために用いられ，カードの管理のための前記第１のマイクロプロセッサーの前記操作を可能にするカードの機能へのアクセスを可能にする前に，その真正性を確認するために，又は，それぞれの外部サーバーとの電気接触部（１）による接続によって，サービス要求をユーザ本人のものであると確認するために，前記比較は前記第２のマイクロプロセッサーを組み込む前記デジタル式指紋スキャナーによって発生し，」
とすること。
　
〈補正事項４〉
　補正前の請求項１の「ａ）最初の使用時における１回限りの個人カードの有効化の際，認定ユーザの前記生体情報の本人絶対識別用の情報作成を，前記生体情報が，前記カードの外部からその情報を読み取り，又は検知し，又は感知することを絶対に不可能にするように前記カードの内部へのみ保存された前記生体情報のメモリに記憶されるように実行し，および，ユーザの個人情報とそのアクセスコードの作成，及びその保存もまた実行するステップと，ｂ）それに続く再使用に際し，使用の際に，前記電気接触部（１）の側部に前記カードの挿入後，横方向指紋スキャナーとして機能する前記生体情報のレセプター（２）により，前記カードの内部に前記生体情報を入手できるように，ユーザのそれぞれの指の横断動作を実行すると，前記生体情報は，その時の再読み取り情報が，以前記憶した生体情報と正確に一致するかどうかを照合確認するために，実際のユーザのその時の生体識別情報の再読み取り情報と，前記カードの内部でのみ比較され，前記以前記憶した生体情報と比較して，スマートカードの内部でのみ，前記照合確認が実行され，次に，前記個人情報及びアクセスコードの照合と本人識別が，正規の動作の操作を継続するために認可されるステップと，が，動作に必要であること」を，補正後の請求項１に加入すること。
　
〈補正事項５〉
　補正前の請求項２に，新たに「前記生体情報のメモリは前記カードの外部から読み取り不可能であり，認定ユーザのそれぞれの個人生体情報を記憶し，前記生体情報のメモリは新しい生体識別情報を作成すること又は作成し直すことは不可能であり，前記生体識別情報は前記生体情報のメモリの最初の登録後は更新することができず，」との文言を加入して補正後の請求項１とすること。
　
３　補正の目的の適否及び新規事項の追加の有無についての検討
　
　前記〈補正事項１〉は，本件補正前の請求項１を削除するものであるから，特許法第１７条の２第４項（平成１８年法律第５５号改正附則第３条第１項によりなお従前の例によるとされる同法による改正前の特許法第１７条の２第４項をいう。以下同じ。）第１号に掲げる請求項の削除に該当する。また，当該補正事項が，特許法第１７条の２第３項に規定する要件を満たすものであることは明らかである。
　
　前記〈補正事項２〉は，補正前の請求項２が補正前の請求項１を引用する形式で記載されていたものを，〈補正事項１〉により補正前の請求項１を削除することに伴い，独立形式に書き直すとともに，補正後の請求項１の末尾を「ことを特徴とする個人用カード。」とするものであり，特許法第１７条の２第４項第１号に掲げる請求項の削除，及び同条同項第４号に掲げる明りょうでない記載の釈明に該当する。また，当該補正事項が，特許法第１７条の２第３項に規定する要件を満たすものであることは明らかである。
　
　前記〈補正事項３〉は，補正前の請求項１を引用する形式で記載されていた補正前の請求項２を独立形式に書き直すに伴い，補正前の請求項１に記載されていた事項を組み入れるとともに，
「前記第１のマイクロプロセッサーと前記第２のマイクロプロセッサーは，何れも可撓性材料より成るバス（３）によって直接接続され，」
「前記横方向に走査する指紋読み取り装置を構成するセンサー手段（２２）と連関した前記第２のマイクロプロセッサー及び前記生体情報のメモリから構成されるデジタル式指紋精巧化手段（２１）」
「前記横方向に走査する指紋読み取り装置は，指紋走査型検出器のセンサーであり，」
「第１のマイクロプロセッサーの側の電気接触部と反対側の位置に封入されたスキャナーの長方形窓」，及び
「前記カードに記憶された生体情報は，前記生体情報のレセプターを用いて受信された生体情報と比較するために用いられ，カードの管理のための前記第１のマイクロプロセッサーの前記操作を可能にするカードの機能へのアクセスを可能にする前に，その真正性を確認するために，又は，それぞれの外部サーバーとの電気接触部（１）による接続によって，サービス要求をユーザ本人のものであると確認するために，前記比較は前記第２のマイクロプロセッサーを組み込む前記デジタル式指紋スキャナーによって発生し，」
との各文言を追加するとともに，語句の順序を整理したものである。上記各文言は，それぞれ，補正前の請求項１に記載された発明特定事項である「前記第１のマイクロプロセッサーと前記第２のマイクロプロセッサー」，補正前の請求項１に記載された発明特定事項である「デジタル式指紋精巧化手段（２１）」，補正前の請求項２に記載された発明特定事項である「横方向に走査する指紋読み取り装置」，補正前の請求項１に記載された発明特定事項である「スキャナーの長方形窓」，及び補正前の請求項１に記載された発明特定事項である「カードに記憶された生体情報」について，技術的により限定するものである。よって，〈補正事項３〉は，特許法第１７条の２第４項第１号に掲げる請求項の削除，同条同項第２号に掲げる特許請求の範囲の減縮，及び同条同項第４号に掲げる明りょうでない記載の釈明に該当する。また，上記各文言に係る事項は，それぞれ，願書に最初に添付した明細書，特許請求の範囲又は図面（以下「当初明細書等」という。）の，段落【００４０】及び図３，段落【００３８】及び図３，段落【００４８】及び図１，段落【００３２】及び図１，並びに段落【００２６】及び【００３２】に記載されているから，〈補正事項３〉は特許法第１７条の２第３項に規定する要件を満たすものであるといえる。
　
　前記〈補正事項４〉は，補正前の請求項１を引用する形式で記載されていた補正前の請求項２を独立形式に書き直すに伴い，補正前の請求項１に記載されていた事項を組み入れることであるから，〈補正事項４〉は，特許法第１７条の２第４項第１号に掲げる請求項の削除，及び同条同項第４号に掲げる明りょうでない記載の釈明に該当する。また，当該補正事項が，特許法第１７条の２第３項に規定する要件を満たすものであることは明らかである。
　
　前記〈補正事項５〉は，補正前の請求項１に記載された発明特定事項である「生体情報のメモリ」について，技術的により限定するものであるから，〈補正事項５〉は，特許法第１７条の２第４項第２号に掲げる特許請求の範囲の減縮に該当する。また，当該補正事項は，当初明細書等の段落【００２４】及び【００２７】に記載されているから，〈補正事項５〉は特許法第１７条の２第３項に規定する要件を満たすものであるといえる。
　
　上記のとおり，本件補正は，特許請求の範囲の減縮を目的とするものを含むから，以下，本件補正後の特許請求の範囲に記載された発明が，特許出願の際独立して特許を受けることができるものか（平成１８年法律第５５号改正附則第３条第１項によりなお従前の例によるとされる同法による改正前の特許法第１７条の２第５項において準用する同法第１２６条第５項の規定を満たすか）どうかを，補正後の請求項１に係る発明について検討する。
　
４　独立特許要件についての検討
（１）本願補正発明
　本件補正後の請求項１に係る発明は，本件補正後の特許請求の範囲の請求項１に記載された事項により特定されるとおりものである。（前記「１　本件補正の内容」〈補正後〉【請求項１】を参照。以下「本願補正発明」という。）
　
（２）刊行物に記載された発明
〈引用例１〉　特開２００６−７２８９０号公報
　原査定の拒絶の理由に引用され，本願の優先権主張の日前に日本国内において頒布された刊行物である特開２００６−７２８９０号公報（以下「引用例１」という。）には，図１，４〜６とともに以下の記載がある。
　
・「【０００１】
　本発明は，
指紋センサを搭載したＩＣカードに関する
・「【０００５】
　即ち，本発明のＩＣカードは，静電容量型指紋センサ，表示素子，記憶部，及び演算処理部を具備し，前記記憶部には，認証指紋データ，特定情報，及び当該特定情報を利用するためのアプリケーションが記憶されており，前記演算処理部は，前記静電容量型指紋センサから抽出された抽出指紋データと，前記認証指紋データとを比較し，前記抽出指紋データと，前記認証指紋データとが一致した場合のみに，前記演算処理部は前記アプリケーションを起動し，前記表示素子は前記特定情報を表示することを特徴としている。
【０００６】
　
本発明によれば，演算処理部において，静電容量型指紋センサから抽出された抽出指紋データと，記憶部に記憶された認証指紋データとを比較することによって，ＩＣカードの利用者の個人認証を行うことができ，ＩＣカードの利用者を限定することができる
　・・・（後略）・・・」
・「【００１８】
　（ＩＣカードの第１実施形態）
　以下，本発明の第１実施形態に係るＩＣカードについて図を参照して説明する。
　図１は，本実施形態に係るＩＣカードＫを示す平面図である。
　
図１に示すように，ＩＣカードＫは，指紋センサ（静電容量型指紋センサ）１０と，電気泳動表示デバイス（表示素子，Electro Phoretic Display，以下，ＥＰＤと称する。）１１と，接続用ＩＣ端子（通信部）１２と，画像消去スイッチ（画像消去手段）１３と，を備えている
　
また，ＩＣカードＫの内部には，２枚のプラスチック基材によって挟持されたＩＣチップ等の集積回路が設けられている。そして，ＩＣチップは，後述するように演算処理部（後述）と記憶部（後述）として機能するようになっている
・「【００２９】
　（接続用ＩＣ端子）
　また，
接続用ＩＣ端子１２は，ＩＣカードＫと外部装置２０との間で情報の入出力や送受信（通信）を行うためのものである。そして，当該接続用ＩＣ端子１２は，ＩＣカードＫを使用する際に，外部装置２０に設けられた端子に接続されるものである。また，接続用ＩＣ端子１２は，ＩＣカードＫの内部に設けられたＩＣチップに接続されており，外部装置とＩＣチップとの間で入出力信号を送受信するようになっている
　・・・（後略）・・・。」
・「【００３１】
　（演算処理部，記憶部）
　次に，図４を参照して，ＩＣカードＫに内蔵された演算処理部と記憶部１６について説明する。
　
図４に示すように，ＩＣカードは，ＩＣチップ内に第１演算処理部１４と，第２演算処理部１５と，記憶部１６とを備えており
【００３２】
　ここで，
第１演算処理部１４においては，ＩＣカードＫは別体の外部装置２０が具備するリーダライタと，接続用ＩＣ端子１２との間で特定情報の入出力が行われるようになっている
また，第１演算処理部１４は，制御部，駆動用プログラムを記憶するマスクＲＯＭ，入出力データや演算データを一時格納し出力側に引き渡す役割を有するＲＡＭ，及び演算部から構成されている
【００３３】
　また
，第２演算処理部１５においては，指紋センサ１０に入力された指紋情報を抽出指紋データとして入力されるようになっており
第２演算処理部１５は，制御部，駆動用プログラムを記憶するマスクＲＯＭ，指紋情報等の入出力データや演算データを一時格納し出力側に引き渡す役割を有するＲＡＭ，及び演算部から構成されている
【００３４】
　また，
記憶部１６は，ＥＥＰＲＯＭを有しており，第１演算処理部１４や第２演算処理部１５において処理された様々な情報を記憶するようになっている
　本実施形態においては，アプリケーションとして運転免許証の表示プログラムが記憶されている。そして，
記憶部１６の記憶される特定情報としては，例えば，本人の運転免許証の名前，住所，番号，生年月日等が記憶されている。更に，記憶部１６には，ＩＣカードＫの利用者を特定するために，利用者の指紋情報が認証指紋データとして記憶されている
・「【００３６】
　次に，利用者がＩＣカードＫを使用する形態について説明する。
　図５は，ＩＣカードＫにおいて利用者の個人認証を行った後に，運転免許証を表示するアプリケーションを動作させるフローチャート図である。
【００３７】
　まず，
利用者が指紋センサ１０に指を押し当てると，第２演算処理部１５のＲＡＭに一時的に抽出指紋データが格納される（ステップＳ１）。そして，当該抽出指紋データと，予め記憶部１６に登録されていた利用者の認証指紋データとが第２演算処理部１５の演算部において比較される。そして，演算部における比較の結果，抽出指紋データと認証指紋データとが一致していると判定された場合（ステップＳ２）に，運転免許証を表示するためのアプリケーションが起動し（ステップＳ３），記憶部１６に格納されている運転免許証の名前，住所，番号，生年月日等がＥＰＤ１１に表示される
【００３８】
　なお，本実施形態においては，運転免許証を表示するアプリケーションを限定するものではなく，他のアプリケーションを利用することも可能である。
　例えば，
本実施形態のＩＣカードをクレジットカードやバンクカードとして利用することが可能である
【００３９】
　このような場合，ＩＣカードＫは，ＥＰＤ１１を備えているので，使用金額や残高等の表示を行うことが可能となる。更に，外部装置２０のリーダライタと接続用ＩＣ端子１２とが接続されることで，ＩＣカードＫと外部装置２０との間で通信可能となり，ＩＣカードＫに記憶されていた情報を更新することも可能となる。具体的には，クレジットカードの使用後にリーダライタによって第１演算処理部１４のＲＡＭに使用金額，残高情報等が書き込まれ，更に，記憶部１６において記憶される。そして，第２演算処理部１５において抽出指紋データと認証指紋データとが一致していると判定された場合，記憶部１６に記憶された情報は，ＥＰＤ１１に表示される。従って，ＩＣカードＫにおいては，予め記憶された情報だけでなく，外部装置２０から入力された更新情報も表示可能となる。
【００４０】
　なお，
ＩＣカードＫにおいては，指紋認証後に接続用ＩＣ端子１２が有効になるプログラムが第１演算処理部１４のマスクＲＯＭに格納されてもよい
　
このような場合，指紋センサ１０で認証が行われなければ，当該ＩＣカードＫは使用不可能となるために，本人以外の使用が不可能となる
指紋認証は，ＩＣカードＫ内のみで行われるため，外部に使用者の指紋情報が漏洩することも無い。従って，更に高いセキュリティ性を有するＩＣカードＫを実現できる
・「【００４５】
　（ＩＣカードの第２実施形態）
　次に，本発明の第２実施形態に係るＩＣカードについて図を参照して説明する。
　本実施形態においては，先に記載した第１実施形態と異なる部分についてのみ説明し，同一構成には同一符号を付して説明を簡略化している。
　図６は，本実施形態におけるＩＣカードＫの構成を説明するためのブロック図である。
【００４６】
　図６に示すように，
本実施形態のＩＣカードＫにおいては，記憶部１６が複数のＥＥＰＲＯＭを備えた構成となっている
複数のＥＥＰＲＯＭの各々には，複数の異なる認証指紋データ，複数のアプリケーションを動作させるプログラム，各アプリケーションにおける個人情報等の特定情報が格納されている
ＥＥＰＲＯＭ１には利用者の必要な指の本数の認証指紋データが格納されており
　・・・（後略）・・・」
　
　ここで，段落【００１８】の記載とともに，図１を参照すると，接続用ＩＣ端子１２と指紋センサ（静電容量型指紋センサ）１０は，ＩＣカードの同じ面側における反対側の位置に設けられていることが見て取れる。
　また，
段落【００１８】及び【００３１】の記載とともに図１及び図４を参照すると，ＩＣカードＫが備える，指紋センサ１０，電気泳動表示デバイス１１，接続用ＩＣ端子１２，画像消去スイッチ１３，並びに，第１演算処理部１４，第２演算処理部１５，及び記憶部１６を備えるＩＣチップは，全てＩＣカードＫの厚さ内に設けられていることが見て取れる。
　
　段落【００３２】及び【００３３】の記載から，「第１演算処理部１４」及び「第２演算処理部１５」は，各々「演算部」を備えていることがわかる。
　
　段落【００３４】に記載された，「記憶部１６の記憶される特定情報」である「本人の運転免許証の名前，住所，番号，生年月日等」は，個人情報といえるものである。それゆえ，記憶部１６には利用者本人の個人情報が記憶されているといえる。また，段落【００３７】に記載された，「記憶部１６に格納されている運転免許証の名前，住所，番号，生年月日等がＥＰＤ１１に表示される」ことは，個人情報が表示されるということができる。
　
　以上を総合し，段落【００４５】〜【００４６】に記載された「ＩＣカードの第２実施形態」において，段落【００４０】に記載された「指紋認証後に接続用ＩＣ端子１２が有効になるプログラムが第１演算処理部１４のマスクＲＯＭに格納され」たものに注目すると，引用例１には以下の発明が記載されているものと認められる。（以下「引用発明」という。）
　
「指紋センサを搭載したＩＣカードＫであって，
　ＩＣカードＫには，指紋センサ１０，電気泳動表示デバイス１１，接続用ＩＣ端子１２，及び画像消去スイッチ１３，を備えられるとともに，第１演算処理部１４，第２演算処理部１５，及び記憶部１６を備えるＩＣチップが，全てＩＣカードＫの厚さ内に設けられており，
　接続用ＩＣ端子１２は，ＩＣカードＫを使用する際に，外部装置２０に設けられた端子に接続されるものであり，また，接続用ＩＣ端子１２は，ＩＣカードＫの内部に設けられたＩＣチップに接続されており，
　接続用ＩＣ端子１２と指紋センサ１０は，ＩＣカードの同じ面側における反対側の位置に設けられており，
　第１演算処理部１４においては，演算部を備えて，ＩＣカードＫは別体の外部装置２０が具備するリーダライタと，接続用ＩＣ端子１２との間で特定情報の入出力が行われるようになっており，
　第２演算処理部１５においては，演算部を備えて，指紋センサ１０に入力された指紋情報を抽出指紋データとして入力されるようになっており，
　記憶部１６は，複数のＥＥＰＲＯＭ１〜４を有しており，第１演算処理部１４や第２演算処理部１５において処理された様々な情報を記憶するようになっていて，ＥＥＰＲＯＭ１には利用者の必要な指の本数の認証指紋データが格納され，更に利用者本人の個人情報も格納されているものでなり，
　利用者が指紋センサ１０に指を押し当てると，第２演算処理部１５のＲＡＭに一時的に抽出指紋データが格納され，当該抽出指紋データと，予め記憶部１６に登録されていた利用者の認証指紋データとが第２演算処理部１５の演算部において比較されて，演算部における比較の結果，抽出指紋データと認証指紋データとが一致していると判定された場合に，接続用ＩＣ端子１２が有効となるとともに，記憶部１６に格納された前記個人情報の表示ができるものであり，
　指紋センサ１０で認証が行われなければ，当該ＩＣカードＫは使用不可能となるために，本人以外の使用が不可能となるものであることにより，指紋認証が，ＩＣカードＫ内のみで行われるため，外部に使用者の指紋情報が漏洩することも無く，高いセキュリティ性を有するＩＣカードＫ。」
　
〈引用例２〉　特開２００６−７９１８１号公報
　原査定の拒絶の理由に引用され，本願の優先権主張の日前に日本国内において頒布された刊行物である特開２００６−７９１８１号公報（以下「引用例２」という。）には，図１〜４，８〜１４とともに以下の記載がある。
・「【０００１】
　本発明は，
生体データを利用した認証を行う生体照合装置に関する
【背景技術】
【０００２】
　ネットワークを介した取り引きなどでユーザの正当性を認証するために，例えば，ユーザから指紋，静脈パターン，虹彩などの生体データを検出し，それを予め認証装置が保持した照合用生体データと比較するシステムがある。
【発明の開示】
【発明が解決しようとする課題】
【０００３】
　ところで，このようなシステムでは，認証装置に予め取得した照合用生体データを提供する必要があり，認証装置を運用する事業者に高い信頼性が要求される。
　しかしながら，ユーザは事業者の信頼性を正確に把握できず，自らの照合用生体データを事業者に提供したくないという要請がある。
　また，近年，ネットワーク上でサーバを介さずに端末装置間で通信を行うＰ２Ｐ(Peer to Peer)通信が普及している。このようなＰ２Ｐ通信は，サーバを介さないため，上述した従来のシステムでは，生体認証を行うことができないという問題がある。
【０００４】
　本発明は，ユーザが自らの生体データを認証事業者に提供せずに，生体認証を利用できる生体照合装置を提供することを目的とする。」
・「【０００６】
　
本発明の生体照合装置の作用は以下のようになる
　
生体データ検出手段が，生体から生体データを取得する
　
次に，制御手段が，前記生体データ検出手段が取得した前記生体データとメモリに記憶された前記照合用生体データとを比較して照合する処理をセキュアな状態で行う
　
次に，前記制御手段が，前記比較処理において一致したと判断したことを条件にインタフェースを介して前記電子機器に所定の要求あるいは所定のデータを出力する処理をセキュアな状態で行う
【発明の効果】
【０００７】
　
本発明によれば，ユーザが自らの生体データを認証事業者に提供せずに，生体認証を利用できる生体照合装置を提供することができる
・「【０００９】
　図１は，本発明の実施形態のデータ処理システム１の全体構成図である。
　図１に示すように，データ処理システム１は，例えば，コンテンツ生成電子機器Ｅ＿１，配信電子機器Ｅ＿２，検索電子機器Ｅ＿３，ライセンス発行電子機器Ｅ＿４，再生電子機器Ｅ＿５，決済装置５，ユーザ生体処理モジュールＢＵＭ，ＢＵＭ−Ｌ，ＢＵＭ−Ａを有する。
【００１０】
　以下，図１に示す各構成要素について詳細に説明する。
　〔電子機器Ｅ〕
　図２は，図１に示すコンテンツ生成電子機器Ｅ＿１，配信電子機器Ｅ＿２，検索電子機器Ｅ＿３，ライセンス発行電子機器Ｅ＿４，再生電子機器Ｅ＿５（以下，電子機器Ｅとも記す）の構成図である。
　図２に示すように，電子機器Ｅは，例えば，デ−タベース２１，ＲＯＭ２２，ＲＡＭ２３，ＣＰＵ２４，インタフェース２５，ＢＵＭインタフェース２６，セキュアメモリ２７およびセキュアチップ２８を有する。
【００１１】
　デ−タベース２１は，コンテンツデータＣＯＮＴを記憶する。
　ＲＯＭ２２は，ＣＰＵ２４およびセキュアチップ２８で実行されるプログラム，並びにデータを記憶する。
　ＲＡＭ２３は，ＣＰＵ２４およびセキュアチップ２８で処理されるデータあるいは処理中のデータを記憶する。
　ＣＰＵ２４は，電子機器Ｅの動作を統括的に制御する。
　インタフェース２５は，ネットワークなどを介して他の電子機器Ｅとの間で通信を行うために用いられる。
　ＢＵＭインタフェース２６は，その電子機器Ｅに対応したユーザのユーザ生体処理モジュールＢＵＭ，ＢＵＭ−Ｌ，ＢＵＭ−Ａを装着部に装着し，ユーザ生体処理モジュールとの間でデータ入出力を行う。
　また，ＢＵＭインタフェース２６は，ユーザ生体処理モジュールＢＵＭ，ＢＵＭ−Ｌ，ＢＵＭ−Ａとの間で赤外線による近距離無線通信を行ってもよい。」
・「【００１３】
　〔ユーザ生体処理モジュールＢＵＭ，ＢＵＭ−Ｌ，ＢＵＭ−Ａ〕
　図３は，図１に示すユーザ生体処理モジュールＢＵＭ，ＢＵＭ−Ｌ，ＢＵＭ−Ａの構成図である。
　
図３に示すように，ユーザ生体処理モジュールＢＵＭ，ＢＵＭ−Ｌ，ＢＵＭ−Ａは，例えば，生体センサ３１，インタフェース３２，セキュアメモリ３３およびセキュアチップ３４を有する
　
ユーザ生体処理モジュールＢＵＭ，ＢＵＭ−Ｌ，ＢＵＭ−Ａは，例えば，カ−ドや携帯型機器に組み込まれる可搬型の装置である
【００１４】
　
生体センサ３１は，いわゆるバイオメトリクスセンサであり，ユーザの指紋，静脈パターン，虹彩などの生体データを検出する
　インタフェース３２は，電子機器Ｅとの間で通信を行うために用いられる。
　
インタフェース３２は，電子機器Ｅの装着部に装着され，電子機器Ｅとの間でデータ入出力を行う
　また，インタフェース３２は，電子機器Ｅとの間で赤外線による近距離無線通信を行ってもよい。
　
セキュアメモリ３３は耐タンパ性の電子回路であり，セキュアチップ３４で用いられるデータをセキュアな状態で記憶する
　
セキュアチップ３４は，耐タンパ性の電子回路であり，ユーザ生体認証などに関する処理をセキュアな状態で行う
・「【００１５】
　図４は，データ処理システム１の動作概要の一例を説明するための図である。
　図４に示すように，データ処理システム１では，例えば，配信電子機器Ｅ＿２と再生電子機器Ｅ＿５との間で機器認証が行われ，機器認証により正当性が確認されると，配信電
子機器Ｅ＿２から再生電子機器Ｅ＿５に暗号化されたコンテンツデータＣＯＮＴが送信される。
　また，ライセンス発行電子機器Ｅ＿４と再生電子機器Ｅ＿５との間で機器認証および生体認証を行い，これらの認証により正当性を確認したことを条件に，ライセンス発行電子機器Ｅ＿４から再生電子機器Ｅ＿５に，コンテンツデータＣＯＮＴの利用許可を与えるライセンスデータを送信する。
　再生電子機器Ｅ＿５は，ライセンスデータに含まれるコンテンツ鍵データを基に，上記暗号化されたコンテンツデータを復号した後に再生等の処理を行う。
　データ処理システム１では，電子機器Ｅの各々に対して機器の識別データＤ＿ＩＤ，並びに機器公開鍵証明書データＤ＿ＰＫＣが発行される。
　電子機器Ｅは，相互間で通信を行う際に，公開鍵暗号基盤ＰＫＩ(Public Key Infrastructure)による相互認証を行う。
　また，
データ処理システム１では，各ユーザに対してユーザの識別データＵ＿ＩＤ，ユーザ公開鍵証明書データＵ＿ＰＫＣおよびユーザ秘密鍵データＵ＿ＳＫが発行され，これらとユーザの照合用生体データＲ＿ＢＤがユーザ生体処理モジュールＢＵＭ，ＢＵＭ−Ａ，ＢＵＭ−Ｌのセキュアメモリ３３にセキュアな状態で記憶される
　
また，ユーザ生体処理モジュールＢＵＭ，ＢＵＭ−Ａ，ＢＵＭ−Ｌは，生体センサ３１を備え，生体センサ３１が検出した生体データＢＤと照合用生体データＲ＿ＢＤとの照合をユーザ生体処理モジュール内のセキュアチップ３４でセキュアな状態で行う
・「【００１７】
　〔ユーザ登録処理ＳＴ２〕
　図８および図９は，データ処理システム１によるユーザ登録処理ＳＴ２を説明するための図である。
　ステップＳＴ４１：
　ユーザが電子機器Ｅを購入する。
　ステップＳＴ４２：　
　ユーザが電子機器Ｅをセットアップする。
　ステップＳＴ４３：
　ユーザが，図２に示す電子機器ＥのＢＵＭインタフェース２６に，図３に示すユーザ生体処理モジュールＢＵＭのインタフェース３２を装着する。
　ステップＳＴ４４：
　
ユーザ生体処理モジュールＢＵＭの生体センサ３１が，ユーザの生体（指）から生体データＢＤを検出する
　ステップＳＴ４５：
　
ユーザ生体処理モジュールＢＵＭのセキュアチップ３４が，例えば，所定の認証機関に要求を出し，当該ユーザのユーザ秘密鍵データＵ＿ＳＫおよびユーザ公開鍵データＵ＿ＰＫの発行を受け，これらをセキュアメモリ３３に書き込む
　ステップＳＴ４６：
　
ユーザ生体処理モジュールＢＵＭのセキュアチップ３４が，ステップＳＴ４５で発行を受けたユーザ公開鍵データＵ＿ＰＫ，並びに当該ユーザの個人データを含むユーザ登録要求をユーザ管理装置５５に送信する
【００１８】
　ステップＳＴ４７：
　
ユーザ管理装置５５は，ステップＳＴ４６で受信したユーザ登録要求に応じて，当該ユーザを登録すべきか審査処理を行い，登録すべきと判断した場合にステップＳＴ４８に進む
　ステップＳＴ４８：
　
ユーザ管理装置５５は，当該ユーザを登録し，ユーザ識別データＵ＿ＩＤを発行する
　・・・（中略）・・・
　ステップＳＴ５２：
　
ユーザ生体処理モジュールＢＵＭのセキュアチップ３４は，ステップＳＴ４４で生成した生体データから抽出した特徴データを照合用生体データＲ＿ＢＤとしてセキュアメモリ３３に書き込む
　
また，セキュアチップ３４は，ステップＳＴ５１で受信したユーザ公開鍵証明書データＵ＿ＰＫＣと識別データＵ＿ＩＤとをセキュアメモリ３３に書き込む
・「【００１９】
　〔照合用生体データＲ＿ＢＤの登録処理〕
　以下，
図９に示すステップＳＴ４４，ＳＴ５２により，図３に示すセキュアメモリ３３に照合用生体データＲ＿ＢＤを登録する処理を説明する。　図１０〜図１２は，当該処理を説明するための図である
　図１１に示す各ステップについて説明する。
　ステップＳＴ６１：
　
ユーザ生体処理モジュールＢＵＭの生体センサ３１が，ユーザの生体（指）から生体データＢＤを検出する
　当該ステップＳＴ６１は，図９に示すステップＳＴ４４に対応している。
　ステップＳＴ６２：
　
セキュアチップ３４は，ステップＳＴ６１で検出した生体データＢＤから特徴データを抽出する
　
特徴データは，例えば，ユーザに固有の指紋パターン，血管パターン，声紋パターンなどである
【００２０】
　ステップＳＴ６３：
　
セキュアチップ３４は，ステップＳＴ６２で抽出した特徴データを基に，照合に実際に用いられる生体本体データを生成する
　ステップＳＴ６４：
　
セキュアチップ３４は，照合用生体データＲ＿ＢＤの識別データＲ＿ＢＤ＿ＩＤを生成する
　
セキュアチップ３４は，例えば，生体センサ３１の識別データと，所定の乱数とを組み合わせて識別データＲ＿ＢＤ＿ＩＤを生成する
　なお，セキュアチップ３４は，ユーザ生体処理モジュールＢＵＭの識別データＤ＿ＩＤと，所定の乱数とを組み合わせて識別データＲ＿ＢＤ＿ＩＤを生成してもよい。
【００２１】
　ステップＳＴ６５：
　
セキュアチップ３４は，図１２に示すように，ステップＳＴ６４で生成した識別データＲ＿ＢＤ＿ＩＤと，ユーザの識別データＵ＿ＩＤと，ステップＳＴ６３で生成した生体本体データとを含む照合用生体データＲ＿ＢＤを生成する
　ステップＳＴ６６：
　
セキュアチップ３４は，ステップＳＴ６５で生成した照合用生体データＲ＿ＢＤを，図３に示すセキュアメモリ３３に書き込む
・「【００２２】
　〔ログイン処理ＳＴ５〕
　図１３および図１４は，電子機器Ｅへのログイン処理を説明するためのフローチャートである。
　以下，図１４に示す各ステップについて説明する。
　ステップＳＴ７１：
　
ユーザ生体処理モジュールＢＵＭ（ＢＵＭ−Ａ，ＢＵＭ−Ｌ）の生体センサ３１が，ユーザの生体（指）から生体データＢＤを検出する
　ステップＳＴ７２：
　
セキュアチップ３４は，ステップＳＴ７１で検出した生体データＢＤから前述した特徴データを抽出し，当該特徴データを基に，照合に実際に用いられる特徴データを生成する
　ステップＳＴ７３：
　セキュアチップ３４は，セキュアメモリ３３から照合用生体データＲ＿ＢＤを読み出す。
　ステップＳＴ７４：
　
セキュアチップ３４は，ステップＳＴ７２で生成した特徴データと，ステップＳＴ７３で読み出した照合用生体データＲ＿ＢＤの生体本体データとを比較して照合を行う
　ステップＳＴ７５：
　
セキュアチップ３４は，ステップＳＴ７４における照合において，生体データＢＤが正当であると判断するとステップＳＴ７６に進み，そうでない場合には処理を終了する
【００２３】
　ステップＳＴ７６：
　
セキュアチップ３４は，セキュアメモリ３３からユーザ秘密鍵データＵ＿ＳＫ（ＢＵＭ）を読み出す
　ステップＳＴ７７：
　
セキュアチップ３４は，インタフェース３２を介して電子機器Ｅのセキュアチップ２８にログイン要求を出力する
　ステップＳＴ７８：
　
セキュアチップ３４は，ステップＳＴ７６で読み出したユーザ秘密鍵データＵ＿ＳＫを用いて，電子機器Ｅのセキュアチップ２８との間で相互認証を行う
　ステップＳＴ７９：
　
セキュアチップ３４は，ステップＳＴ７８の相互認証により互いの正当性を確認すると（成功すると）ステップＳＴ８０に進み，そうでない場合には処理を終了する
　ステップＳＴ８０：
　
ユーザ生体処理モジュールＢＵＭが電子機器Ｅにログインする
・「【００４０】
　以上説明したように，データ処理システム１によれば，ユーザ生体処理モジュールＢＵＭ，ＢＵＭ−Ａ，ＢＵＭ−Ｌ内が，当該モジュール内の生体センサ３１において検出した生体データＢＤを，当該モジュール内のセキュアメモリ３３に記憶された照合用生体データＲ＿ＢＤを用いてセキュアな状態で照合する。
　そのため，ユーザは自らの照合用生体データＲ＿ＢＤを認証事業者に提供せずに生体認証を安心して利用できる。
　・・・（後略）・・・」
　
　以上を総合すると，引用例２には以下の発明が記載されているものと認められる。
　
「カ−ドや携帯型機器に組み込まれるユーザ生体処理モジュールＢＵＭであって，
　ユーザ生体処理モジュールＢＵＭは，生体センサ３１，インタフェース３２，セキュアメモリ３３およびセキュアチップ３４を有し，
　生体センサ３１は，いわゆるバイオメトリクスセンサであり，ユーザの指紋，静脈パターン，虹彩などの生体データを検出するものであり，
　セキュアメモリ３３は耐タンパ性の電子回路であり，セキュアチップ３４で用いられるデータをセキュアな状態で記憶するものであり，
　ユーザの登録に当たっては，
　ユーザ生体処理モジュールＢＵＭの生体センサ３１が，ユーザの生体（指）から生体データＢＤを検出し，
　ユーザ生体処理モジュールＢＵＭのセキュアチップ３４が，例えば，所定の認証機関に要求を出し，当該ユーザのユーザ秘密鍵データＵ＿ＳＫおよびユーザ公開鍵データＵ＿ＰＫの発行を受け，これらをセキュアメモリ３３に書き込み，
　ユーザ生体処理モジュールＢＵＭのセキュアチップ３４が，発行を受けたユーザ公開鍵データＵ＿ＰＫ，並びに当該ユーザの個人データを含むユーザ登録要求をユーザ管理装置５５に送信し，
　ユーザ生体処理モジュールＢＵＭのセキュアチップ３４は，生体データから抽出した特徴データを照合用生体データＲ＿ＢＤとしてセキュアメモリ３３に書き込み，また，セキュアチップ３４は，受信したユーザ公開鍵証明書データＵ＿ＰＫＣと識別データＵ＿ＩＤとをセキュアメモリ３３に書き込むものであり，
　ログイン処理に当たっては，
　ユーザ生体処理モジュールＢＵＭの生体センサ３１が，ユーザの生体（指）から生体データＢＤを検出し，
　セキュアチップ３４は，検出した生体データＢＤから前述した特徴データを抽出し，当該特徴データを基に，照合に実際に用いられる特徴データを生成し，
　セキュアチップ３４は，前記生成した特徴データと，読み出した照合用生体データＲ＿ＢＤの生体本体データとを比較して照合を行い，
　セキュアチップ３４は，前記照合において，生体データＢＤが正当であると判断すると，読み出したユーザ秘密鍵データＵ＿ＳＫを用いて，電子機器Ｅのセキュアチップ２８との間で相互認証を行い，
　セキュアチップ３４が，前記相互認証により互いの正当性を確認すると，　ユーザ生体処理モジュールＢＵＭが電子機器Ｅにログインできるものである，
　ユーザ生体処理モジュールＢＵＭ。」
　
（３）対比
　本願補正発明と引用発明とを対比する。
　
・引用発明の「接続用ＩＣ端子１２」は，本願補正発明の「電気接触部」に相当する。また，引用発明の「予め記憶部１６に登録されていた利用者の認証指紋データ」における「登録されていた利用者の認証指紋データ」は，本願補正発明の「認定ユーザの個人生体情報」に相当し，引用発明の「記憶部１６」は本願補正発明の「データメモリ」に相当する。また，引用発明の「指紋センサ１０」は「利用者が」「指を押し当てる」ものであるから，本願補正発明の「ユーザの生体情報のレセプター」に相当する。また，引用発明において，「第１演算処理部１４」及び「第２演算処理部１５」は各々「演算部」を備えるとともに，ともに「ＩＣチップ」として形成されているものであるから，前記「第１演算処理部１４」の「演算部」及び「第２演算処理部１５」の「演算部」は，いずれもマイクロプロセッサということができる。そして，引用発明においては「指紋センサ１０，電気泳動表示デバイス１１，接続用ＩＣ端子１２，及び画像消去スイッチ１３，を備えられるとともに，第１演算処理部１４，第２演算処理部１５，及び記憶部１６を備えるＩＣチップ」によって回路が構成されていることは明らかである。また，引用発明の「ＩＣカードＫ」は個人で用いうることは明らかであるから，本願補正発明の「個人用カード」ということができる。
　そうすると，引用発明の「ＩＣカードＫには，指紋センサ１０，電気泳動表示デバイス１１，接続用ＩＣ端子１２，及び画像消去スイッチ１３，を備えられるとともに，第１演算処理部１４，第２演算処理部１５，及び記憶部１６を備えるＩＣチップが，」「設けられており」，「第１演算処理部１４においては，演算部を備えて」おり，「第２演算処理部１５においては，演算部を備えて」おり，また，「記憶部１６」には「予め」「利用者の認証指紋データ」が「登録され」るものは，本願補正発明の「少なくとも認定ユーザの個人生体情報が記憶される生体情報のデータメモリとユーザの生体情報のレセプター（２）を備えた回路を含有する電気接触部を備えたカード形の，２つのプロセッサーが与えられた個人用カード」に相当する。
　
・引用発明の「接続用ＩＣ端子１２と指紋センサ１０は，ＩＣカードの同じ面側における反対側の位置に設けられて」いるところ，「利用者が指紋センサ１０に指を押し当てる」ものであるから，引用発明の当該構成と，本願補正発明の「前記横方向に走査する指紋読み取り装置は，指紋走査型検出器のセンサーであり，同じ前記カードの同じ側で第１のマイクロプロセッサーの側の電気接触部と反対側の位置に封入されたスキャナーの長方形窓上の指によって，横方向に走査動作が実行されることによって指紋を採取することができ」る構成とは，「指紋読み取り装置は，指紋検出器のセンサーであり，同じ前記カードの同じ側で電気接触部と反対側の位置に封入された窓上の指によって，指紋を採取することができ」る点で一致する。
　
・上述のとおり，引用発明における「第１演算処理部１４」の「演算部」は，マイクロプロセッサということができ，また，「第１演算処理部１４においては，演算部を備えて，ＩＣカードＫは別体の外部装置２０が具備するリーダライタと，接続用ＩＣ端子１２との間で特定情報の入出力が行われるようになって」いることから，外部から信号を受けて，ＩＣカードＫの動作をつかさどるものということができる。よって，引用発明の「第１演算処理部１４」の「演算部」と，本願補正発明の「前記電気接触部（１）の下方の一側にある前記カードの管理のための第１のマイクロプロセッサー」とは，「前記カードの管理のための第１のマイクロプロセッサー」である点で一致する。
　
・上述のとおり，引用発明における「第２演算処理部１５」の「演算部」は，マイクロプロセッサということができ，また，「第２演算処理部１５のＲＡＭに一時的に抽出指紋データが格納され，当該抽出指紋データと，予め記憶部１６に登録されていた利用者の認証指紋データとが第２演算処理部１５の演算部において比較されて，演算部における比較の結果，抽出指紋データと認証指紋データとが一致していると判定」されるものであるから，引用発明の当該構成と，本願補正発明の「前記カードは，ユーザの前記生体情報のレセプター（２）を実現する前記第２のプロセッサー及び前記生体情報のメモリを備えた，少なくとも１つの横方向に走査する指紋読み取り装置を備え，前記ユーザの生体情報のレセプター（２）は，前記横方向に走査する指紋読み取り装置を構成するセンサー手段（２２）と連関した前記第２のマイクロプロセッサー及び前記生体情報のメモリから構成されるデジタル式指紋精巧化手段（２１）を備えるデジタル式指紋スキャナー（２）であ」ることとは，「前記カードは，ユーザの前記生体情報のレセプター（２）を実現する前記第２のプロセッサー及び前記生体情報のメモリを備えた，少なくとも１つの指紋読み取り装置を備え，前記ユーザの生体情報のレセプター（２）は，前記指紋読み取り装置を構成するセンサー手段（２２）と連関した前記第２のマイクロプロセッサー及び前記生体情報のメモリから構成される指紋スキャナー（２）であ」る点で一致する。また，引用発明の「第２演算処理部１５」の「演算部」と，本願補正発明の「前記電気接触部（１）の正反対の側（２３）にある，前記生体情報の解析のための第２のマイクロプロセッサー」とは，「前記生体情報の解析のための第２のマイクロプロセッサー」である点で一致する。
　
・引用発明の「記憶部１６は，複数のＥＥＰＲＯＭ１〜４を有しており，第１演算処理部１４や第２演算処理部１５において処理された様々な情報を記憶するようになっていて，ＥＥＰＲＯＭ１には利用者の必要な指の本数の認証指紋データが格納されているものでな」ることと，本願補正発明の「前記生体情報のメモリは前記カードの外部から読み取り不可能であり，認定ユーザのそれぞれの個人生体情報を記憶し，前記生体情報のメモリは新しい生体識別情報を作成すること又は作成し直すことは不可能であり，前記生体識別情報は前記生体情報のメモリの最初の登録後は更新することができ」ないこととは，「前記生体情報のメモリは，認定ユーザのそれぞれの個人生体情報を記憶」するものである点で一致する。
　
・引用発明の「ＩＣカードＫには，指紋センサ１０，電気泳動表示デバイス１１，接続用ＩＣ端子１２，及び画像消去スイッチ１３，を備えられるとともに，第１演算処理部１４，第２演算処理部１５，及び記憶部１６を備えるＩＣチップが，全てＩＣカードＫの厚さ内に設けられて」いることと，本願補正発明の「前記第１のマイクロプロセッサー，前記電気接触部，前記第２のマイクロプロセッサーを備えるデジタル式指紋スキャナーから構成される前記ユーザの生体情報のレセプター，及び前記生体情報のメモリは可撓性材料より成る前記バスと共にカードの厚さ内にすべて組み込まれ」こととは，「前記第１のマイクロプロセッサー，前記電気接触部，前記第２のマイクロプロセッサーを備える指紋スキャナーから構成される前記ユーザの生体情報のレセプター，及び前記生体情報のメモリは，カードの厚さ内にすべて組み込まれ」る点で一致する。
　
・引用発明の「利用者が指紋センサ１０に指を押し当てると，第２演算処理部１５のＲＡＭに一時的に抽出指紋データが格納され，当該抽出指紋データと，予め記憶部１６に登録されていた利用者の認証指紋データとが第２演算処理部１５の演算部において比較されて，演算部における比較の結果，抽出指紋データと認証指紋データとが一致していると判定された場合に，接続用ＩＣ端子１２が有効となり，指紋センサ１０で認証が行われなければ，当該ＩＣカードＫは使用不可能となる」ことにおいて，「接続用ＩＣ端子１２が有効とな」ることは，「第１演算処理部１４においては，演算部を備えて，ＩＣカードＫは別体の外部装置２０が具備するリーダライタと，接続用ＩＣ端子１２との間で特定情報の入出力が行われるようになって」おり，また，前述のとおり，引用発明の「第１演算処理部１４」の「演算部」は，「前記カードの管理のための第１のマイクロプロセッサー」といえることから，本願補正発明の「カードの管理のための前記第１のマイクロプロセッサーの前記操作を可能にするカードの機能へのアクセスを可能にする」ことに相当する。
　そうすると，引用発明の「利用者が指紋センサ１０に指を押し当てると，第２演算処理部１５のＲＡＭに一時的に抽出指紋データが格納され，当該抽出指紋データと，予め記憶部１６に登録されていた利用者の認証指紋データとが第２演算処理部１５の演算部において比較されて，演算部における比較の結果，抽出指紋データと認証指紋データとが一致していると判定された場合に，接続用ＩＣ端子１２が有効となるとともに，記憶部１６に格納された前記個人情報の表示ができるものであり，　指紋センサ１０で認証が行われなければ，当該ＩＣカードＫは使用不可能となる」ことは，本願補正発明の「前記カードに記憶された生体情報は，前記生体情報のレセプターを用いて受信された生体情報と比較するために用いられ，カードの管理のための前記第１のマイクロプロセッサーの前記操作を可能にするカードの機能へのアクセスを可能にする前に，その真正性を確認するために，又は，それぞれの外部サーバーとの電気接触部（１）による接続によって，サービス要求をユーザ本人のものであると確認するために，前記比較は前記第２のマイクロプロセッサーを組み込む前記デジタル式指紋スキャナーによって発生」することに相当する。
　
・引用発明の「利用者が指紋センサ１０に指を押し当てると，第２演算処理部１５のＲＡＭに一時的に抽出指紋データが格納され，当該抽出指紋データと，予め記憶部１６に登録されていた利用者の認証指紋データとが第２演算処理部１５の演算部において比較されて，演算部における比較の結果，抽出指紋データと認証指紋データとが一致していると判定された場合に，接続用ＩＣ端子１２が有効となるとともに，記憶部１６に格納された前記個人情報の表示ができるものであり，指紋センサ１０で認証が行われなければ，当該ＩＣカードＫは使用不可能となる」ことにおいて，「抽出指紋データと認証指紋データとが一致していると判定された場合に，接続用ＩＣ端子１２が有効とな」るものであるから，当該判定時に「接続用ＩＣ端子１２」が「外部装置２０に設けられた端子に接続され」，「接続用ＩＣ端子１２が有効とな」ったとき「ＩＣカードＫは別体の外部装置２０が具備するリーダライタと，接続用ＩＣ端子１２との間で特定情報の入出力が行われるようになって」いることは明らかである。また，「記憶部１６に格納された前記個人情報の表示ができる」ことにより，個人情報の照合が可能となることは明らかである。この際，「接続用ＩＣ端子１２」が「外部装置２０に設けられた端子に接続され」るには，「接続用ＩＣ端子１２」が設けられたＩＣカードの面側に「外部装置２０に設けられた端子」がくるように「外部装置２０」に挿入させること，すなわち，「接続用ＩＣ端子１２」の側部にカードを挿入することは当然である。
　そうすると，引用発明の「利用者が指紋センサ１０に指を押し当てると，第２演算処理部１５のＲＡＭに一時的に抽出指紋データが格納され，当該抽出指紋データと，予め記憶部１６に登録されていた利用者の認証指紋データとが第２演算処理部１５の演算部において比較されて，演算部における比較の結果，抽出指紋データと認証指紋データとが一致していると判定された場合に，接続用ＩＣ端子１２が有効となるとともに，記憶部１６に格納された前記個人情報の表示ができるものであり，指紋センサ１０で認証が行われなければ，当該ＩＣカードＫは使用不可能となるために，本人以外の使用が不可能となるものであることにより，指紋認証が，ＩＣカードＫ内のみで行われる」ことと，本願補正発明の「ｂ）それに続く再使用に際し，使用の際に，前記電気接触部（１）の側部に前記カードの挿入後，横方向指紋スキャナーとして機能する前記生体情報のレセプター（２）により，前記カードの内部に前記生体情報を入手できるように，ユーザのそれぞれの指の横断動作を実行すると，前記生体情報は，その時の再読み取り情報が，以前記憶した生体情報と正確に一致するかどうかを照合確認するために，実際のユーザのその時の生体識別情報の再読み取り情報と，前記カードの内部でのみ比較され，前記以前記憶した生体情報と比較して，スマートカードの内部でのみ，前記照合確認が実行され，次に，前記個人情報及びアクセスコードの照合と本人識別が，正規の動作の操作を継続するために認可されるステップと，が，動作に必要であること」とは，「使用の際に，前記電気接触部（１）の側部に前記カードの挿入後，指紋スキャナーとして機能する前記生体情報のレセプター（２）により，前記カードの内部に前記生体情報を入手できるように，ユーザのそれぞれの指の指紋採取を実行すると，前記生体情報は，その時の読み取り情報が，以前記憶した生体情報と正確に一致するかどうかを照合確認するために，実際のユーザのその時の生体識別情報の読み取り情報と，前記カードの内部でのみ比較され，前記以前記憶した生体情報と比較して，スマートカードの内部でのみ，前記照合確認が実行され，次に，前記個人情報の照合と本人識別が認可されるステップと，が，動作に必要であること」である点で一致する。
　
　以上から，引用発明と本願補正発明とは以下の点で一致する。
「　少なくとも認定ユーザの個人生体情報が記憶される生体情報のデータメモリとユーザの生体情報のレセプター（２）を備えた回路を含有する電気接触部を備えたカード形の，２つのプロセッサーが与えられた個人用カードであって，
　前記２つのプロセッサーは，
　前記カードの管理のための第１のマイクロプロセッサーと，
　前記生体情報の解析のための第２のマイクロプロセッサーと，から構成され，
　前記カードは，ユーザの前記生体情報のレセプター（２）を実現する前記第２のプロセッサー及び前記生体情報のメモリを備えた，少なくとも１つの指紋読み取り装置を備え，前記ユーザの生体情報のレセプター（２）は，前記指紋読み取り装置を構成するセンサー手段（２２）と連関した前記第２のマイクロプロセッサー及び前記生体情報のメモリから構成される指紋スキャナー（２）であり，
　前記指紋読み取り装置は，指紋検出器のセンサーであり，同じ前記カードの同じ側で電気接触部と反対側の位置に封入された窓上の指によって，指紋を採取することができ，
　前記生体情報のメモリは，認定ユーザのそれぞれの個人生体情報を記憶するものであり，
　前記第１のマイクロプロセッサー，前記電気接触部，前記第２のマイクロプロセッサーを備える指紋スキャナーから構成される前記ユーザの生体情報のレセプター，及び前記生体情報のメモリは，カードの厚さ内にすべて組み込まれ，
　前記カードに記憶された生体情報は，前記生体情報のレセプターを用いて受信された生体情報と比較するために用いられ，カードの管理のための前記第１のマイクロプロセッサーの前記操作を可能にするカードの機能へのアクセスを可能にする前に，その真正性を確認するために，又は，それぞれの外部サーバーとの電気接触部（１）による接続によって，サービス要求をユーザ本人のものであると確認するために，前記比較は前記第２のマイクロプロセッサーを組み込む前記指紋スキャナーによって発生し，
　使用の際に，前記電気接触部（１）の側部に前記カードの挿入後，指紋スキャナーとして機能する前記生体情報のレセプター（２）により，前記カードの内部に前記生体情報を入手できるように，ユーザのそれぞれの指の指紋採取を実行すると，
　前記生体情報は，その時の読み取り情報が，以前記憶した生体情報と正確に一致するかどうかを照合確認するために，実際のユーザのその時の生体識別情報の読み取り情報と，前記カードの内部でのみ比較され，前記以前記憶した生体情報と比較して，スマートカードの内部でのみ，前記照合確認が実行され，次に，
　本人識別が，認可されるステップと，
が，動作に必要であることを特徴とする個人用カード。」
　
　一方，両者は，以下の各点で相違する。
　
《相違点１》
　本願補正発明は，「前記電気接触部（１）の下方の一側にある前記カードの管理のための第１のマイクロプロセッサー」を備えるのに対して，引用発明は，「前記カードの管理のための第１のマイクロプロセッサー」に対応する構成は備えるものの，当該「第１のマイクロプロセッサー」が「前記電気接触部（１）の下方の一側にある」ことまでは特定されていない点。
　
《相違点２》
　本願補正発明は，「前記電気接触部（１）の正反対の側（２３）にある，前記生体情報の解析のための第２のマイクロプロセッサー」を備えるのに対して，引用発明は「前記生体情報の解析のための第２のマイクロプロセッサー」に対応する構成は備えるものの，「前記電気接触部（１）の正反対の側（２３）にある」ことまでは特定されていない点。
　
《相違点３》
　本願補正発明は，「前記第１のマイクロプロセッサーと前記第２のマイクロプロセッサーは，何れも可撓性材料より成るバス（３）によって直接接続され」る構成を備え，また，「可撓性材料より成る前記バス」が「カードの厚さ内に」「組み込まれ」る構成を備えるのに対して，引用発明は「前記第１のマイクロプロセッサーと前記第２のマイクロプロセッサー」に対応する構成を備えるものの，「前記第１のマイクロプロセッサーと前記第２のマイクロプロセッサー」が「何れも可撓性材料より成るバス（３）によって直接接続され」る構成は備えず，それに伴い，「カードの厚さ内に」「可撓性材料より成る前記バス」が「組み込まれ」る構成も備えない点。
　
《相違点４》
　本願補正発明は，「ユーザの前記生体情報のレセプター（２）を実現する前記第２のプロセッサー及び前記生体情報のメモリを備えた，少なくとも１つの横方向に走査する指紋読み取り装置を備え，前記ユーザの生体情報のレセプター（２）は，前記横方向に走査する指紋読み取り装置を構成するセンサー手段（２２）と連関した前記第２のマイクロプロセッサー及び前記生体情報のメモリから構成されるデジタル式指紋精巧化手段（２１）を備えるデジタル式指紋スキャナー（２）であり，　前記横方向に走査する指紋読み取り装置は，指紋走査型検出器のセンサーであり，同じ前記カードの同じ側で第１のマイクロプロセッサーの側の電気接触部と反対側の位置に封入されたスキャナーの長方形窓上の指によって，横方向に走査動作が実行されることによって指紋を採取することができ」るという構成を備えるが，引用発明は「ユーザの前記生体情報のレセプター（２）を実現する前記第２のプロセッサー及び前記生体情報のメモリを備えた，少なくとも１つの指紋読み取り装置を備え，前記ユーザの生体情報のレセプター（２）は，前記指紋読み取り装置を構成するセンサー手段（２２）と連関した前記第２のマイクロプロセッサー及び前記生体情報のメモリから構成される指紋スキャナー（２）であり，　前記指紋読み取り装置は，指紋検出器のセンサーであり，同じ前記カードの同じ側で電気接触部と反対側の位置に封入された窓上の指によって，指紋を採取することができ」ることに対応する構成を備えるものの，「指紋読み取り装置」が「横方向に走査する」ものではなく，また，「指紋スキャナー」が「デジタル式指紋精巧化手段（２１）を備えるデジタル式指紋スキャナー（２）」でもなく，さらに，「前記横方向に走査する指紋読み取り装置は，指紋走査型検出器のセンサーであ」るものでもなく，「第１のマイクロプロセッサーの側の電気接触部と反対側の位置に封入されたスキャナーの長方形窓上の指によって，横方向に走査動作が実行される」構成も備えない点。
　
《相違点５》
　本願補正発明は，「前記生体情報のメモリは前記カードの外部から読み取り不可能であり，認定ユーザのそれぞれの個人生体情報を記憶し，前記生体情報のメモリは新しい生体識別情報を作成すること又は作成し直すことは不可能であり，前記生体識別情報は前記生体情報のメモリの最初の登録後は更新することができ」ないという構成を備えるが，引用発明は，「前記生体情報のメモリは，認定ユーザのそれぞれの個人生体情報を記憶するものであ」ることに対応する構成は備えるものの，「前記生体情報のメモリは前記カードの外部から読み取り不可能であり，」「前記生体情報のメモリは新しい生体識別情報を作成すること又は作成し直すことは不可能であり，前記生体識別情報は前記生体情報のメモリの最初の登録後は更新することができ」ないということまでは特定されていない点。
　
《相違点６》
　本願補正発明は，「ａ）最初の使用時における１回限りの個人カードの有効化の際，認定ユーザの前記生体情報の本人絶対識別用の情報作成を，前記生体情報が，前記カードの外部からその情報を読み取り，又は検知し，又は感知することを絶対に不可能にするように前記カードの内部へのみ保存された前記生体情報のメモリに記憶されるように実行し，」また，「ｂ）それに続く再使用に際し，」「前記生体情報のレセプター（２）により，前記カードの内部に」「入手した」「前記生体情報」が「再読み取り情報」であるのに対して，引用発明は，「ａ）最初の使用時における１回限りの個人カードの有効化の際，認定ユーザの前記生体情報の本人絶対識別用の情報作成を，前記生体情報が，前記カードの外部からその情報を読み取り，又は検知し，又は感知することを絶対に不可能にするように前記カードの内部へのみ保存された前記生体情報のメモリに記憶されるように実行」する構成は備えず，また，引用発明は「使用の際に，」「前記生体情報のレセプター（２）により，前記カードの内部に」「入手」する「前記生体情報」が「読み取り情報」であることに対応する構成は備えるものの，当該「読み取り情報」は「再読み取り情報」ではない点。
　
《相違点７》
　本願補正発明は，「ユーザの個人情報とそのアクセスコードの作成，及びその保存もまた実行するステップ」を備え，また，「前記個人情報及びアクセスコードの照合と本人識別が，正規の動作の操作を継続するために認可されるステップ」も備えるが，引用発明は「本人識別が認可されるステップ」に対応する構成は備えるものの，「ユーザ」「のアクセスコードの作成，及びその保存もまた実行するステップ」は備えず，また「前記アクセスコードの照合」が「正規の動作の操作を継続するために認可される」構成は備えない点。
　
（４）当審の判断
　
《相違点１について》
　一般に，ＩＣカードにおいて，内蔵するＩＣチップの上面に接するように接続用ＩＣ端子を設けることは，例えば次の周知例１にも示されているように，周知の技術である。
　
周知例１：　特開２００５−２４２６４９号公報
　本願の優先権主張の日前に日本国内において頒布された刊行物である特開２００５−２４２６４９号公報（以下「周知例１」という。）には，図１とともに以下の記載がある。
・「【０００８】
　以下，本発明のデバイスの実装方法及びＩＣカードの実施形態について図を参照して説明する。
　図１はＩＣカードＫを示す概略図であって，図１（ａ）は正面図，図１（ｂ）は断面図である。
　ＩＣカードＫは，ＩＣチップ２と指紋センサ等のデバイス３が実装されたカード形のインレット１と，インレットの両面を保護する２つの保護層４０とから構成される。
　更に，ＩＣカードＫは，
カード端末等の外部装置（不図示）との情報交換を行うインターフェイスとして，外部装置と直接接触する接触用ＩＣ端子２ａ
接触用ＩＣ端子２ａは，ＩＣチップ２の上面に接触しつつ，ＩＣカードＫの表面に露出するように形成される
　・・・（後略）・・・」
　
　引用発明における「第１演算処理部１４」の「演算部」が，本願補正発明の「第１のマイクロプロセッサー」に対応するところ，当該「第１演算処理部１４」は，引用発明における「ＩＣチップ」が備えるものである。それゆえ，引用発明において上記周知技術を用いて，「第１演算処理部１４」の「演算部」を備える「ＩＣチップ」の上面に接するように接続用ＩＣ端子１２を設けることにより，相違点１に係る，「前記電気接触部（１）の下方の一側にある前記カードの管理のための第１のマイクロプロセッサー」に対応する構成を備えるようにすることは当業者が適宜になし得たことである。
　よって，相違点１は，当業者が適宜になし得た範囲に含まれる程度のものである。
　
《相違点２について》
　一般に，ＩＣカードに組み込む指紋センサについて，指紋センサと当該指紋センサによって得られた指紋情報を処理する部分を一体のものとして形成することは，以下の周知例２及び３にも示されているように，周知の技術である。
　
周知例２：　特開平１０−３２３３３９号公報
　原査定の拒絶の理由に引用され，本願の優先権主張の日前に日本国内において頒布された刊行物である特開平１０−３２３３３９号公報（以下「周知例２」という。）には，図７とともに以下の記載がある。
・「【０００６】
【発明の概要】本発明によれば，皮膚抵抗センシングアレイを使用する低価格指紋検出器が開示される。本発明の一実施例の教示によれば，指先の皮膚抵抗をサンプル軌跡(trajectory )信号に変換するための皮膚抵抗センシングアレイを含む指紋検出器が提供される。サンプル軌跡信号は，指先がセンシングアレイ表面を横切って運動する時の，指先のリッジ（隆起）及びバレー（谷）の関数である皮膚抵抗の導電率変化に対応する。
センシングアレイは少なくとも１つのセンサを含み，このセンサは，指先を接触させるように位置決めされ，指先とセンサとを相対運動させることができるようになっている。センシングアレイはサンプリング回路に結合され，サンプリング回路はサンプル軌跡信号をディジタル信号に変換する。指紋検出器は，ディジタルサンプル軌跡信号を受けてそれを参照軌跡信号と比較し，そして照合アルゴリズムを実行するプロセッサをも含んでいる
・「【０００８】
【実施例】以下の好ましい実施例の説明は単に例示のために過ぎず，本発明またはその応用または使用を制限するものではない。本発明は，特に，リッジ抵抗センシングアレイを，このセンシングアレイ表面を横切って指先を運動させることによって得られた電気信号を処理する技術と共に使用して，指紋を検出し，照合するデバイスに関する。
アレイの簡易さは，アレイを横切って指をスワイプ( swiping ) させる技術と共に，低価格信号処理システムを実現可能にし，単一の集積回路パッケージ内に組み入れることを可能にする。得られた低価格チップは，限定するものではないが，クレジットカード，ドア錠，ＰＯＳ端末，及びコンピュータ端末キーボードのような他のデバイス内に組み込んで，識別または安全保護のための手段にすることができる
・「【００１５】図７に，単一の集積回路パッケージ６４に集積された完全な指紋検出器１０を示す。このチップは，更にデータキャリヤカード５０内に組み込むことができるように充分に小さいことが好ましい。
　・・・（中略）・・・
図７は更に，集積回路パッケージ６４及びモノリシック回路内に収容される機能のブロック線図をも示している。センシングアレイ２０が複雑ではないことが主要な特色であり，これにより指紋検出器１０を単一のモノリシックチップ内に組み込むことが可能になる
　
周知例３：　特開平１１−１９０６９号公報
　原査定の拒絶の理由に引用され，本願の優先権主張の日前に日本国内において頒布された刊行物である特開平１１−１９０６９号公報（以下「周知例３」という。）には，図２とともに以下の記載がある。
・「【００１０】
【発明の実施の形態】図２は，本発明の指紋認識集積回路の基本構成を示す。同図に示す構成は，
指紋を採取するセンサ装置１１０を集積回路チップ上に形成し，読み取ったデータを認識する認識装置１３０，認識する指紋の見本となる指紋メモリ１２０を同じチップ上に形成するものである
【００１１】また，センサ装置１１０は，大きさ数μｍのセンサ回路１１１を複数並べたものであり，認識装置１３０は，通常の論理回路で構成された認識を行う回路である。この構成では，
指紋認識システムを集積回路チップ上に構成でき，非常に小さい指紋認識システムが実現可能となる。このため，ＩＣカードのような小さく薄いもの等，任意の場所に指紋認識システムを組み込むことが可能となる
【００１２】さらに，
センサ装置１１０や認識装置１３０等が一つの集積回路チップ上にあるため，これらの装置間のデータ転送時にデータの改ざんが不可能になり，不正な認識を防ぐことが可能となる
　
　ここで，「認識装置１３０」が「読み取ったデータ」を処理するプロセッサであることは明らかである。
　
　引用発明における「指紋センサ１０」については，「第２演算処理部１５においては，演算部を備えて，指紋センサ１０に入力された指紋情報を抽出指紋データとして入力されるようになって」いるところ，上記周知技術を参酌して，当該「指紋センサ１０」及び「第２演算処理部１５」を一体のものとして形成することにより，「接続用ＩＣ端子１２と」「は，ＩＣカードの同じ面側における反対側の位置に設けられて」いる「指紋センサ１０」と同じ位置に「第２演算処理部１５」が設けられて，相違点２に係る「前記電気接触部（１）の正反対の側（２３）にある，前記生体情報の解析のための第２のマイクロプロセッサー」を備えるようにすることは，当業者が適宜になし得たことである。
　よって，相違点２は，当業者が適宜になし得た範囲に含まれる程度のものである。
　
《相違点３について》
　一般に，ＩＣカードにおいて，悪意のあるアクセスの試みを阻止するために，プロセッサ間を専用の線によって接続することは，次の周知例４にも記載されているように，周知の技術である。
周知例４：　特表２００６−５０１５８３号公報
　本願の優先権主張の日前に日本国内において頒布された刊行物である特表２００６−５０１５８３号公報（以下「周知例４」という。）には，図４とともに
以下の記載がある。
・「【００３８】
  オンボード整合ＩＳＯプロセッサインターフェースを備えたＩＳＯカードに対するカードアーキテクチャ
  図４は，カード保持者の生物測定学的データの最初のロード期間中および遠隔地アプリケーションへのカード保持者のアイデンティティの検査期間中に使用される異なった物理的データ路を備えた例示的なＩＳＯスマートカードコンパチブル生物測定学的検査カード100または100’の機能ブロック図である。
【００３９】
  とくに，上述した
ＩＳＯプロセッサ112，セキュリティプロセッサ114，指紋センサ110
ＩＳＯプロセッサ112はＩ／Ｏポート304，306によってセキュリティプロセッサ114と通信し
【００４０】
  
入手可能な大部分のＩＳＯプロセッサは少なくとも２つのＩ／Ｏポートを有しており，いくつかは少なくとも３つのＩ／Ｏポートを備えている。外部ＩＳＯコンパチブルカード読取装置208への通常のＩＳＯスマートカード直列データ接続108に対して，これらのポートの１つ（Ｉ／Ｏ１）だけが示されている。余分な１または２つのＩ／Ｏポートは，ＩＳＯプロセッサ112とセキュリティプロセッサ114との間に専用ハードワイヤード通信を提供することが好ましく，それは，セキュリティプロセッサ114を再プログラムしようとする，あるいはセンサ110によって前に捕捉された，あるいはそうでなければセキュリティプロセッサ114内に記憶されている取り扱いに注意を要する情報にアクセスしようとする悪意のある試みを阻止するハードウェアファイヤウォールとして働く
　・・・（後略）・・・」
　
　ここで，上記記載とともに図４を参照すると，指紋センサ110に接続されたセキュリティプロセッサ114とＩＳＯプロセッサ112とが「Ｉ／Ｏ２」及び「Ｉ／Ｏ３」と付された部分において直接接続されていることが見て取れる。
　
　また，ＩＣカード内における配線を，可撓性を有する材料により構成することは，例えば前記周知例１の下記の記載のように，周知の技術である。
　すなわち，前記周知例１には，図１とともに更に次の記載がある。
・「【０００９】
  
インレット１は，約０．６ｍｍ厚のプラスチック等の可撓性板部材である
インレット１には，ＩＣチップ２とデバイス３とを導通する電気配線４，デバイス３を収容する四角形の凹部５が形成される
【００１０】
　・・・（中略）・・・
【００１２】
  そして，デバイス３を凹部５に収容した後に，
インレット１の上面に不図示の液滴吐出装置から銀ペースト等の導電性材料（配線材料）４を吐出して，ＩＣチップ２とデバイス３とを導通させる電気配線４を形成する
　・・・（後略）・・・」
　
　上記記載から，可撓性の部材であるインレット１上に形成され，ＩＣチップ２に接続される電気配線４が，インレット１と同じく可撓性を有することは明らかである。
　
　また，ＩＣカード技術において悪意のある内部へのアクセスを阻止することは，不断の課題ともいうべきものである。
　それゆえ，前記《相違点２について》において検討したとおり，引用発明において，「指紋センサ１０」及び「第２演算処理部１５」を一体のものとして形成して，「生体情報の解析のための第２のマイクロプロセッサー」を備えるようにすることは，当業者が適宜になし得たことであるところ，上記各周知技術を勘案して，本願補正発明の「第１のマイクロプロセッサー」に相当する引用発明の「第１演算処理部１４」を備えるＩＣチップと，「指紋センサ１０」及び「第２演算処理部１５」を一体としたものとを，可撓性を有する材料により直接接続して，相違点３に係る，「前記第１のマイクロプロセッサーと前記第２のマイクロプロセッサー」が「何れも可撓性材料より成るバス（３）によって直接接続され」る構成を備え，それに伴い，「カードの厚さ内に」「可撓性材料より成る前記バス」が「組み込まれ」る構成も備えるようにすることは，当業者が適宜になし得たことである。
　よって，相違点３は，当業者が適宜になし得た範囲に含まれる程度のものである。
　
《相違点４について》
　一般に，指紋読み取り技術において，横方向に走査して指紋を読み取るものにあって，指紋を読み取る部分が長方形の窓を備え，また，ディジタル技術を用いて読み取った指紋を抽出することは，例えば，前記周知例２の下記の記載，及び以下の周知例５においても示されているように，周知の技術である。
　すなわち，前記周知例２には，図１，３，６〜８とともに以下の記載がある。
・「【００１２】
　・・・（前略）・・・
図３に，例示データキャリヤカード５０を指紋検出器１０の機能ブロック線図と共に示す。センシングアレイ２０は，データキャリヤ５０の表面と同一面をなすように取付けられる
　・・・（後略）・・・」
・「【００１６】図８は，集積回路パッケージ６４の側面図である。この図から，導電層２２が絶縁層２４上に形成されており，絶縁層２４が主要なパッケージング材料となっていることが理解できよう。図８は，チップと外部回路との間の接続を可能にする集積回路パッケージ６４のサイドに沿う接続ピンの位置どりを示している。接続ピン６６をサイドに取付けることによって，集積回路パッケージ６４を低プロファイルに維持できることに特に注目されたい。以下に，本発明の教示により指紋を検出し，照合する方法を説明する。アルゴリズムは，ユーザの指紋データが，記憶された参照データと一致するか否かを決定する。
この技術は，露出型皮膚抵抗センシングアレイ２０（指先１２の指紋１４をセンシングアレイ２０に連続して接触させながら引くことができる）を有する指紋検出器１０を提供することを含む
受入れ可能なサンプル軌跡信号を発生させるために唯一必要なことは，指紋１４の相対中心が滑らかな連続運動でセンシングアレイ２０を端から端まで横切るように指紋１４を引かなければならないことである
次いで，アナログサンプル軌跡信号は，Ａ／Ｄ変換器３４によってディジタルビットストリームに量子化され（図１），ディジタル信号プロセッサ４０によって個人の指先リッジ及びバレーの記録である記憶されている参照軌跡信号と統計的に相関させることができる（図６）
・「【００１８】
検出及び照合の方法は，サンプル軌跡信号を正規化する技術をも備えている。当業者ならば，サンプル軌跡信号を正規化すると，サンプルされたデータ点の連続的に最適化された数が供給されるために，デバイスの複雑さが減少することは理解されよう。正規化技術は，必要なデータ点の最適数を標準化し，初期サンプリングレートを与えることによって達成される。サンプル軌跡信号を検出した時に，処理アルゴリズムはサンプル軌跡信号周波数を計算する
　
　ここで，上記段落【００１２】の記載とともに図３を参照すると，センシング素子１６が配列されているセンシングアレイ２０については，その外形がおおむね長方形であることが見て取れるから，指紋を読み取る部分が長方形部の窓部を備えるといえる。
　また，上記段落【００１４】の「指紋１４の相対中心が滑らかな連続運動でセンシングアレイ２０を端から端まで横切るように指紋１４を引」くことは，「指紋読み取り装置」が「横方向に走査する」ものであって，「指紋走査型検出器のセンサーであ」ることに対応する。
　また，上記段落【００１８】には「検出及び照合の方法は，サンプル軌跡信号を正規化する技術をも備えている」と記載されているところ，「サンプル軌跡信号を正規化」することは，「指紋精巧化」に対応し，また，上記段落【００１７】の「アナログサンプル軌跡信号は，Ａ／Ｄ変換器３４によってディジタルビットストリームに量子化され（図１），ディジタル信号プロセッサ４０によって個人の指先リッジ及びバレーの記録である記憶されている参照軌跡信号と統計的に相関させることができる（図６）。現在，必要な統計的相関アルゴリズムを遂行するモノリシックディジタルプロセッサが，標準オフ・ザ・シェルフデバイスとして入手可能である」との記載から，ディジタル技術によって処理されていることは明らかであるから，上記「サンプル軌跡信号を正規化」することは，「デジタル式指紋精巧化手段」といえる。そうすると，前記「指紋読み取り装置」が「横方向に走査する」ものであることから，当該「指紋読み取り装置」は，「デジタル式指紋精巧化手段」を備える「指紋読み取りスキャナー」であって，「デジタル式指紋スキャナー」ということができる。
　
周知例５：　特開２００４−２８０６１９号公報
　本願の優先権主張の日前に日本国内において頒布された刊行物である特開２００４−２８０６１９号公報（以下「周知例５」という。）には，図１〜１１とともに以下の記載がある。
・「【００３４】
【発明の実施の形態】
以下，図面を参照して本発明に係る第１の実施の形態〜第６の実施の形態を説明する。
【００３５】
〔第１の実施の形態〕
図１〜図１１を参照して，本発明に係る第１の実施の形態の認証システム１Ａを説明する。本実施の形態における認証システム１Ａは，図１および図２に示すカード型デバイス２Ａとこのカード型デバイス２Ａが接続される電子機器５Ａ（図６参照）とにより構成される。電子機器５Ａは，カード型デバイス２Ａを介して入力されるユーザの指紋データに基づいてユーザを認証することができ，さらにその認証結果に基づいて電子機器５Ａの機能の一部を制限することができる。
【００３６】
図１および図２にカード型デバイス２Ａの外観構成例を示す。
図１および図２に示すように，カード型デバイス２Ａは，カード型の筐体２０Ａと，筐体２０Ａの背面２１に設けられる収容部２２と，収容部２２に着脱自在に収容される認証チップ３Ａ（図３参照）と，
筐体２０Ａの一端部２３に設けられる指紋読取部４（図４参照）
【００３７】
　・・・（中略）・・・
【００４３】
指紋読取部４は，図４に示すように，回転ローラ４１，光源４２，セルフォックレンズアレイ４３，基板４４，指紋センサ部４５を含み，回転ローラ４１の外周面４１ａの一部が筐体２０Ａの一端面２３ａに設けられたスリット２３ｂから外部に突出している
【００４４】
回転ローラ４１は円筒状を呈しており，アクリル樹脂，ポリカーボネイト，ホウケイ酸ガラス，石英ガラス等の透光性材料から構成される。
スリット２３ｂから露出した回転ローラ４１の外周面４１ａに指１００を圧接させ
【００４５】
　・・・（中略）・・・
【００５４】
指紋センサ部４５は，回転ローラ４１の外周面４１ａに当接される指１００の一次元指紋データを取得するためのものであり，リニア型ＣＣＤイメージセンサ，リニア型ＣＭＯＳイメージセンサ等の光電変換素子で構成される。その受光面５５ａはスリット２３ｂに対向するように，回転ローラ４１の軸心に沿って平行に設けられている。セルフォックレンズアレイ４３等により受光面５５ａに結像された指紋の一次元像を電気信号としての一次元指紋信号に変換する
【００５５】
なお，
指紋センサ部４５および指紋読取部４は，上記した光学式に限定されるものではなく，静電容量式，感熱式，圧力式等，他の方式の指紋センサや，他の構造の小型指紋スキャナー装置で構成してもよい
【００５６】
次に，図５を参照してカード型デバイス２Ａの機能的構成を説明する。図５に示すように，カード型デバイス２Ａは，接続端子２５Ａ，入出力制御部２６，メモリ２７，暗号化処理部Ａ，指紋画像信号処理部２８，指紋読取部４，認証チップ３Ａ，コネクタ２２ｄを備えている。これら各構成要素は互いにバスで接続されている。
【００５７】
入出力制御部２６は，電子機器５Ａとの間で指紋データを含む種々のデータ（情報）を所定のデータ伝送方式に従って伝送するものである。
【００５８】
メモリ２７は所定の記憶容量を有するＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）またはフラッシュメモリ（Ｆｌａｓｈ  ＥＰＲＯＭ）等から構成される。
【００５９】
指紋画像信号処理部２８は，アナログ信号である一次元指紋信号をデジタル信号に変換して一次元指紋データを生成するとともに，二次元像としての指紋画像情報を生成する指紋読取処理を実行する。また，得られた指紋画像情報から特徴点を抽出する特徴点抽出処理を実行する
【００６０】
なお，指紋画像信号処理部２８はＣＰＵ（図示略）等を備え，メモリ２７等に記憶された指紋画像信号処理プログラムに従って，これらの指紋読取処理および特徴点抽出処理を行う。
【００６１】
　・・・（中略）・・・
【００６３】
特徴点抽出処理では，指紋画像読取処理により合成された指紋の二次元像からその特徴点を抽出した特徴パラメータなどの指紋の特徴データが生成される
　
　ここで，上記段落【００３６】，【００４３】〜【００４４】の記載とともに図１及び図２を参照すると，「筐体２０Ａの一端部２３に設けられる指紋読取部４」の回転ローラ４１に指が圧接されるところ，当該回転ローラ４１が露出する部分であるスリット２３ｂは，長方形の窓部を構成することが見て取れる。
　
　一方，引用発明においては，「接続用ＩＣ端子１２と指紋センサ１０は，ＩＣカードの同じ面側における反対側の位置に設けられて」いるところ，前記《相違点１について》において検討したとおり，「第１演算処理部１４」の「演算部」を備える「ＩＣチップ」の上面に接するように接続用ＩＣ端子１２を設けることは当業者が適宜になし得たことであり，また，「指紋センサ１０」が「ＩＣカードＫの厚さ内に設けられて」いる，すなわち「封入」されているといえるものである。
　それゆえ，引用発明において，上記の指紋読み取り技術を採用して，相違点４に係る，「指紋読み取り装置」が「横方向に走査する」ものであり，また，「指紋スキャナー」が「デジタル式指紋精巧化手段（２１）を備えるデジタル式指紋スキャナー（２）」であって，さらに，「前記横方向に走査する指紋読み取り装置は，指紋走査型検出器のセンサーであ」り，「第１のマイクロプロセッサーの側の電気接触部と反対側の位置に封入されたスキャナーの長方形窓上の指によって，横方向に走査動作が実行される」構成を備えるようにすることは，当業者が適宜になし得たことである。
　よって，相違点４は，当業者が適宜になし得た範囲に含まれる程度のものである。
　
《相違点５及び６について》
　相違点５及び６は併せて検討する。
　
　引用発明に係る指紋センサを搭載したＩＣカードＫにおいては，「抽出指紋データと，予め記憶部１６に登録されていた利用者の認証指紋データとが第２演算処理部１５の演算部において比較されて，演算部における比較の結果，抽出指紋データと認証指紋データとが一致している」か否かを「判定」するものであるから，何らかの方法で，「予め記憶部１６に」「利用者の認証指紋データ」を登録する必要があることは明らかである。
　一方，前記４（２）〈引用例２〉において記載したとおり，引用例２には，「カ−ドや携帯型機器に組み込まれるユーザ生体処理モジュールＢＵＭ」について，「ユーザの登録に当たっては，　ユーザ生体処理モジュールＢＵＭの生体センサ３１が，ユーザの生体（指）から生体データＢＤを検出し，」「生体データから抽出した特徴データを照合用生体データＲ＿ＢＤとしてセキュアメモリ３３に書き込み」，「ログイン処理に当たっては，　ユーザ生体処理モジュールＢＵＭの生体センサ３１が，ユーザの生体（指）から生体データＢＤを検出し，　セキュアチップ３４は，検出した生体データＢＤから前述した特徴データを抽出し，当該特徴データを基に，照合に実際に用いられる特徴データを生成し，　セキュアチップ３４は，前記生成した特徴データと，読み出した照合用生体データＲ＿ＢＤの生体本体データとを比較して照合を行」うものであり，「照合用生体データＲ＿ＢＤ」の登録及び「ログイン処理に当たって」「照合に実際に用いられる特徴データを生成」することを同じ「ユーザ生体処理モジュールＢＵＭ」で行うものである。
　また，引用例２に記載されたものは，「照合用生体データＲ＿ＢＤ」を「耐タンパ性の電子回路であ」る「セキュアメモリ３３に書き込」むものであり，装置外部からの情報読み取りができないものとできるところ，以下の周知例６にも記載されているように，セキュアメモリには，いったんデータが書き込まれると，それ以降の書き換えができなくなる機能を有することが周知であり，更に以下の周知例７にも記載されているように，指紋データの登録を１回しかできないようにして，より安全な個人認証を実現する技術も周知である。
　
周知例６：　特開２００４−１６４４９１号公報
　本願の優先権主張の日前に日本国内において頒布された刊行物である特開２００４−１６４４９１号公報（以下「周知例６」という。）には，図１とともに以下の記載がある。
・「【００２２】
まず，セキュアＬＳＩ１は，書き換え不可領域１１を含むセキュアメモリ（セキュアＦｌａｓｈ）１０を備えている。この書き換え不可領域１１には，書き換え不可領域書き込みフラグ１２が設けられている。書き換え不可領域書き込みフラグ１２は，モードＩＤが一度セキュアメモリ１０に書き込まれると，そのフラグ値が“可”から“済”になり，それ以降の書き換え不可領域への書き込みが不能になる。なお，本実施形態では，セキュアメモリ１０および外部メモリ１００はフラッシュメモリによって構成されているが，もちろんこれに限定されるものではなく，不揮発性のメモリであればどのようなものであってもかまわない。」
　
周知例７：　特開平１０−２０８０４９号公報
　本願の優先権主張の日前に日本国内において頒布された刊行物である特開平１０−２０８０４９号公報（以下「周知例７」という。）には，図４〜７とともに以下の記載がある。
・「【０００３】そこで，最近，個人の身体的特徴を用いた個人認証装置が開発されている。身体的特徴を用いた個人認証装置としては，たとえば，特開平２−１７８７７７号公報に示されるように，あらかじめ被照合用の身体的特徴情報（指に含まれる特徴情報など）を，携帯形記憶媒体としてのＩＣカード内に記憶（登録）しておき，照合時に，ＩＣカードから被照合用の身体的特徴情報を読出して，入力された被認証者の身体的特徴情報（指に含まれる特徴情報など）とＩＣカードの外部で比較照合するものがある。
【０００４】
【発明が解決しようとする課題】しかし，上記した従来の個人認証装置では，照合時，辞書として登録してある被照合用の身体的特徴情報をＩＣカードの外部へ読出す必要があるため，第三者に被照合用の身体的特徴情報を盗まれる危険性がある。また，身体的特徴情報の比較照合もＩＣカードの外部で行なっているので，そのプログラムを解析されて，照合のアルゴリズム自体も盗まれる危険性があった。
【０００５】そこで，本発明は，第三者に被照合用の身体的特徴情報および照合のアルゴリズムを盗まれる危険性が少なく，セキュリティ性に優れた個人認証システム，個人認証装置，携帯形記憶媒体を提供することを目的とする。」
・「【００２１】ＩＣカード１２は，たとえば，図５に示すように構成されている。
　・・・（中略）・・・
【００２４】次に，上記のような構成において処理の流れについて説明する。処理は，大きく分けて「登録」と「照合」の２つがある。まず，登録の処理について説明する。
【００２５】登録の処理は，個人認証装置１１側とＩＣカード１２側の２つがある。まず，個人認証装置１１側の登録処理の流れについて，図６に示すフローチャートを参照して説明する。
【００２６】まず，ステップＳ１にて，
パターン入力部１３を用いて図４に示したような生の投影信号Ｖraw(i)を取込む。次に，ステップＳ２にて，ステップＳ１で取込んだ投影信号Ｖraw(i)に対して前処理であるＢＰＦ（バンド・パス・フィルタ）処理を施し，それを辞書情報（つまり，被照合用の特徴情報）Ｖd(i)とする
　・・・（中略）・・・
【００３０】
以上の例では，１枚のＩＣカードに対して登録の処理を行なう回数を制限していないが，これを制限することで，より安全な個人認証システムを実現できる。すなわち，１枚のＩＣカードに対して，ステップＳ５の辞書情報をデータメモリに記憶する処理を，たとえば，１回しか実行できないようにすることで，不正な辞書情報の書換えを防ぐことができる
【００３１】また，ステップＳ５で記憶したデータメモリの内容をＩＣカードの外部に読出すことを禁止することで，辞書情報を第三者に盗まれることを防ぐことができ，より安全な個人認証システムを実現することができる。」
　
　ＩＣカード技術において，ＩＣカードに記憶されたデータのより確実な保護とともに，より安全な個人認証を行うことは周知の課題である。よって，引用発明において「予め記憶部１６に」「利用者の認証指紋データ」を登録するために，引用例２に係る技術を適用するとともに，上記各周知技術を勘案して，相違点５に係る，「前記生体情報のメモリは前記カードの外部から読み取り不可能であり，」「前記生体情報のメモリは新しい生体識別情報を作成すること又は作成し直すことは不可能であり，前記生体識別情報は前記生体情報のメモリの最初の登録後は更新することができ」ないようにするとともに，相違点６に係る，「ａ）最初の使用時における１回限りの個人カードの有効化の際，認定ユーザの前記生体情報の本人絶対識別用の情報作成を，前記生体情報が，前記カードの外部からその情報を読み取り，又は検知し，又は感知することを絶対に不可能にするように前記カードの内部へのみ保存された前記生体情報のメモリに記憶されるように実行」し，それに伴い，「使用の際に，」「前記生体情報のレセプター（２）により，前記カードの内部に」「入手」する「前記生体情報」が「再読み取り情報」であるようにすることは，当業者が適宜になし得たことである。
　よって相違点５及び６は，ともに当業者が適宜になし得た範囲に含まれる程度のものである。
　
《相違点７について》
　引用発明に係るＩＣカードＫの記憶部１６には，利用者本人の個人情報が格納されるものであるから，当該ＩＣカードＫを利用する本人すなわちユーザが利用を開始するにあたり，ＩＣカードＫの記憶部１６にユーザの個人情報を格納させることは当然のことである。
　また，引用例２には，ユーザの登録にあたって，「当該ユーザのユーザ秘密鍵データＵ＿ＳＫおよびユーザ公開鍵データＵ＿ＰＫの発行を受け，これらをセキュアメモリ３３に書き込み」，また，ログイン処理に当たっては，「読み出したユーザ秘密鍵データＵ＿ＳＫを用いて，電子機器Ｅのセキュアチップ２８との間で相互認証を行い，　セキュアチップ３４が，前記相互認証により互いの正当性を確認すると，　ユーザ生体処理モジュールＢＵＭが電子機器Ｅにログインできるもの」であり，すなわち作成，保存した「当該ユーザのユーザ秘密鍵データＵ＿ＳＫ」をアクセスコードとして認証を行ってログインして，その後の正常な動作を続ける技術が記載されているといえる。
　そうすると，前記《相違点５及び６について》において検討したとおり，引用発明において引用例２に係る技術を適用することは当業者が適宜になし得たことであるところ，上記「当該ユーザのユーザ秘密鍵データＵ＿ＳＫ」を作成，保存し，アクセスコードとして認証を行ってログインして，その後の正常な動作を続ける技術も併せて適用して，相違点７に係る，「ユーザ」「のアクセスコードの作成，及びその保存もまた実行するステップ」及び「前記アクセスコードの照合」が「正規の動作の操作を継続するために認可される」ことに対応する構成を備えるようにすることも，当業者が適宜になし得たことといえるものである。
　よって，相違点７は，当業者が適宜になし得た範囲に含まれる程度のものである。
　
　以上検討したとおり，本願補正発明は，引用発明に対して，引用例２に記載された技術とともに，カードの構造についての周知技術，指紋センサについての周知技術，及び個人カードのセキュリティ確保についての周知技術を単に寄せ集めたものであって，そのようにしたことによる相乗効果も見いだせない。
　
（５）小括
　以上のとおり，本願補正発明は，周知技術を勘案して，引用発明及び引用例２に記載された発明に基づいて当業者が容易に発明をすることができたものであるから，特許法第２９条第２項の規定により，特許を受けることができない。
　よって，本願補正発明は，特許出願の際独立して特許を受けることができない。
　
５　むすび
　したがって，本件補正は，平成１８年法律第５５号改正附則第３条第１項によりなお従前の例によるとされる同法による改正前の特許法第１７条の２第５項において準用する特許法第１２６条第５項の規定に違反するので，同法第１５９条第１項において読み替えて準用する同法第５３条第１項の規定により却下すべきものである。
　
第３　本願発明について
１　本願発明
　平成２５年１月２３日にされた手続補正は，上記のとおり却下されたので，本願の請求項１に係る発明は，平成２４年６月１８日にされた手続補正により補正された明細書，特許請求の範囲及び図面の記載から見て，その請求項１に記載された事項により特定されるとおりのものである。（前記「１　本件補正の内容」〈補正前〉【請求項１】を参照。以下「本願発明」という。）
　
２　引用発明
　引用発明は，前記第２の４「（２）刊行物に記載された発明」に記載したとおりのものである。
　
３　対比・判断
　前記第２「１　本件補正の内容」〜第２「３　補正の目的の適否及び新規事項の追加の有無についての検討」において記したように，本願補正発明は，補正前の請求項１に記載された発明特定事項である「前記第１のマイクロプロセッサーと前記第２のマイクロプロセッサー」，補正前の請求項１に記載された発明特定事項である「デジタル式指紋精巧化手段（２１）」，補正前の請求項２に記載された発明特定事項である「横方向に走査する指紋読み取り装置」，補正前の請求項１に記載された発明特定事項である「スキャナーの長方形窓」，補正前の請求項１に記載された発明特定事項である「カードに記憶された生体情報」，及び補正前の請求項１に記載された発明特定事項である「生体情報のメモリ」について，技術的により限定するものである。言い換えると，本願発明は，本願補正発明から当該各限定を除いたものである。
　そうすると，本願発明の構成要件をすべて含み，これをより限定したものである本願補正発明が，前記第２の４「（３）補正発明と引用発明との対比」〜第２の４「（５）小括」において検討したとおり，周知技術を勘案して，引用発明及び引用例２に記載された発明に基づいて，当業者が容易に発明をすることができたものであるから，本願発明も同様の理由により，当業者が容易に発明をすることができたものである。
　よって，本願発明は特許法第２９条第２項の規定により特許を受けることができない。
　
第４　むすび
　以上のとおりであるから，本願は，他の請求項に係る発明について検討するまでもなく，拒絶すべきものである。
　よって，結論のとおり審決する。